(57)【要約】【課題】高沸点有機溶媒に対する溶解性に優れ、現像処理工程において高沸点有機溶媒の油滴から溶出を抑制し、銀現像性を変化させずに十分な発色濃度が得られ良好な分光特性を有するカラー感光材料を提供すること。【解決手段】下記一般式（１）で表される置換基を分子内に少なくとも１個有するカプラーを含有することを特徴とするハロゲン化銀カラー写真感光材料。但し、下記一般式（ＭＣ−ＩＩＩ）で表され、かつＺａが−Ｎ＝、Ｚｂが＝Ｃ（Ｒ９）−であり、Ｒ９がアラルキレン基を介して一般式（１）で表される置換基が結合しているカプラーを除く｛式中、Ａは−Ｎ（Ｒ４）−を表し、Ｒ４はＨ、アルキル基又はアリール基を表し、ｍは０又は１を表す。Ｒ１は置換基を表し、ｎは０〜３の整数を表す。Ｒ２及びＲ３は各々独立にアルキル基、アルケニル基又はアリール基を表す。Ｒ８はＨ又は置換基を表し、Ｘ２はＨ又は現像主薬の酸化体との反応において離脱する基を表す。Ｚａ及びＺｂは各々独立に−Ｃ（Ｒ９）＝又は−Ｎ＝を表す。Ｒ９はＨ、アルキル基、アリール基、又はヘテロ環基を表す。【化１】2004101649.tif 000065【選択図】　　なし【特許請求の範囲】
【請求項１】
下記一般式（１）で表される置換基を分子内に少なくとも１個有するカプラーを含有することを特徴とするハロゲン化銀カラー写真感光材料。
但し、ハロゲン化銀カラー写真感光材料が含有するカプラーが、下記一般式（ＭＣ−ＩＩＩ）で表され、かつＺａが−Ｎ＝、Ｚｂが＝Ｃ（Ｒ９）−であり、Ｒ９がアラルキレン基を介して一般式（１）で表される置換基が結合しているカプラーであるものを除く。
【化１】
2004101649.tif 000063
Ａは−Ｎ（Ｒ４）−を表し、Ｒ４は水素原子、アルキル基、又はアリール基を表し、ｍは０又は１を表す。Ｒ１は置換基を表し、ｎは０〜３の整数を表す。Ｒ２、及びＲ３は各々独立にアルキル基、アルケニル基、又はアリール基を表す。
【化２】
2004101649.tif 000064
Ｒ８は水素原子、又は置換基を表し、Ｘ２は水素原子又は現像主薬の酸化体との反応において離脱する基を表す。Ｚａ及びＺｂは各々独立に−Ｃ（Ｒ９）＝又は−Ｎ＝を表す。Ｒ９は水素原子、アルキル基、アリール基、又はヘテロ環基を表す。
【発明の詳細な説明】
【０００１】
【発明の属する技術分野】
本発明は新規な置換基を有するカプラーに関し、それを用いたハロゲン化銀カラー写真感光材料に関するものである。
【０００２】
【従来技術】
ハロゲン化銀カラー写真感光材料（以下、カラー感光材料ともいう）には、一般に発色現像処理を行うことによりイエロー、マゼンタ、及びシアン画像色素を形成するカプラーが用いられる。これらの色素形成カプラーは、分子中に親油性のバラスト基を導入し、高沸点有機溶媒に溶解した後、ゼラチンに代表される親水性コロイド中に乳化分散して添加する方法が有用である。これらのカプラーに要求される基本的な性能としては、高沸点有機溶媒に対する溶解性が十分に高いこと、及び乳化分散物における分散性及び分散安定性が良好で容易に結晶の析出がないこと等が求められる。又、カプラーに導入するバラスト基は親油性が高く、現像処理中にカプラーが高沸点有機溶媒から処理液に溶出しないこと求められる。
【０００３】
スルホンアミド基、又はスルホニル基を有するバラスト基は、いくつかの特許公報に記載されている（例えば、特許文献１〜３参照）の各公報に記載されている。これらに記載のバラスト基を有するカプラーは、高沸点有機溶媒に対する溶解性は十分に高いものの、カプラーの親水性が高くなり、現像処理工程において高沸点有機溶媒中から処理液中に溶出する傾向が高く、画像のシャープネスを悪化させたり、ハロゲン化銀と相互作用して銀現像性を変化させたりする問題点があり改良が望まれていた。又、現像処理後においても増感色素が膜中に残存して、Ｄｍｉｎ部のステインが悪化する傾向があり、この点においても更なる改良が望まれていた。
【０００４】
又一方、近年、合成原料には、より安全性の高い原料を用いることが望まれており、特に、エンドクリン懸念物質を回避することが望まれている。更に、より安価なカプラーの合成が可能となる原料を使用することが望まれている。
【０００５】
【特許文献１】
特開昭６１−６５２４６号公報（第５頁〜第７頁）
【特許文献２】
特開昭６１−１４７２５４号公報（第７頁〜第１６頁）
【特許文献３】
特開昭６２−８９９６１号公報（第７頁〜第１１頁）
【０００６】
【発明が解決しようとする課題】
本発明の第一の目的は、高沸点有機溶媒に対する溶解性に優れ、現像処理工程において高沸点有機溶媒の油滴から溶出を抑制し、銀現像性を変化させずに十分な発色濃度が得られ良好な分光特性を有するカラー感光材料を提供することにあり、第二の目的は、安価でより安全性の高い原料から簡単な合成法で高収率に合成できるカプラーを含有するハロゲン化銀カラー写真感光材料を提供することにある。
【０００７】
更に、本発明の第三の目的は、増感色素の残色を改良したＤｍｉｎ成分の低いハロゲン化銀カラー写真感光材料を提供することにある。
【０００８】
【課題を解決するための手段】
本発明の上記目的は、下記構成により達成された。
（１）下記一般式（１）で表される置換基を分子内に少なくとも１個有するカプラーを含有することを特徴とするハロゲン化銀カラー写真感光材料。
【０００９】
但し、ハロゲン化銀カラー写真感光材料が含有するカプラーが、下記一般式（ＭＣ−ＩＩＩ）で表され、かつＺａが−Ｎ＝、Ｚｂが＝Ｃ（Ｒ９）−であり、Ｒ９がアラルキレン基を介して一般式（１）で表される置換基が結合しているカプラーであるものを除く。
【００１０】
【化３】
2004101649.tif 000002
【００１１】
Ａは−Ｎ（Ｒ４）−を表し、Ｒ４は水素原子、アルキル基、又はアリール基を表し、ｍは０又は１を表す。Ｒ１は置換基を表し、ｎは０〜３の整数を表す。Ｒ２、及びＲ３は各々独立にアルキル基、アルケニル基、又はアリール基を表す。
【００１２】
【化４】
2004101649.tif 000003
【００１３】
Ｒ８は水素原子、又は置換基を表し、Ｘ２は水素原子又は現像主薬の酸化体との反応において離脱する基を表す。Ｚａ及びＺｂは各々独立に−Ｃ（Ｒ９）＝又は−Ｎ＝を表す。Ｒ９は水素原子、アルキル基、アリール基、又はヘテロ環基を表す。
【００１４】
（２）一般式（１）で表される置換基が、下記一般式（２）で表される置換基であることを特徴とする（１）に記載のハロゲン化銀カラー写真感光材料。
【００１５】
【化５】
2004101649.tif 000004
【００１６】
式中、Ｒ２５、Ｒ２６は各々独立にアルキル基、アルケニル基、又はアリール基を表し、Ｒ２７は置換基を表し、Ａ１は−Ｎ（Ｒ２８）−を表し、Ｒ２８は水素原子、アルキル基、又はアリール基を表し、ｐは０又は１を表す。
【００１７】
（３）一般式（１）で表される置換基を分子内に有するカプラーが色素形成カプラーであることを特徴とする（１）または（２）に記載のハロゲン化銀カラー写真感光材料。
【００１８】
（４）一般式（１）で表される置換基を分子内に有するカプラーがイエロー色素形成カプラーであることを特徴とする（１）〜（３）のいずれか一項に記載のハロゲン化銀カラー写真感光材料。
【００１９】
（５）一般式（１）で表される置換基を分子内に有するカプラーが下記一般式（ＹＣ−Ｉ）で表されるカプラーであることを特徴とする（１）〜（４）のいずれか一項に記載のハロゲン化銀カラー写真感光材料。
【００２０】
【化６】
2004101649.tif 000005
【００２１】
式中、Ｒ１０及びＲ１１は各々独立にアリール基、ヘテロ環基、アルコキシカルボニル基、アリールオキシカルボニル基、アシル基、カルバモイル基、スルファモイル基、シアノ基、スルホニル基、スルフィニル基を表し、Ｒ１０とＲ１１とが互いに結合して５員、６員又は７員の環を形成していても良い。Ｒ１０およびＲ１１が同時にアリール基であることはない。Ｘ３は水素原子、又は現像主薬の酸化体との反応において離脱する基を表す。
【００２２】
（６）一般式（１）で表される置換基を分子内に有するカプラーがシアンカプラーであることを特徴とする（１）〜（３）のいずれか一項に記載のハロゲン化銀カラー写真感光材料。
【００２３】
（７）一般式（１）で表される置換基を分子内に有するカプラーが下記一般式（ＣＣ−Ｉ）、一般式（ＣＣ−ＩＩ）、一般式（ＣＣ−ＩＩＩ）および一般式（ＣＣ−ＩＶ）のいずれかで表されるカプラーであることを特徴とする（１）〜（３）、（６）のいずれか一項に記載のハロゲン化銀カラー写真感光材料。
【００２４】
【化７】
2004101649.tif 000006
【００２５】
一般式（ＣＣ−Ｉ）において、Ｒ１２、Ｒ１３、Ｒ１４、Ｒ１５は、各々独立に水素原子、又は置換基を表し、Ｒ１４とＲ１５は互いに結合して５員、６員又は７員の飽和環を形成しても良い。Ｘ４は水素原子又は現像主薬の酸化体との反応において離脱する基を表す。Ｒ１２、Ｒ１３、Ｒ１４、Ｒ１５及び／又はＸ４のいずれかに少なくとも１個の一般式（１）で表される置換基を有す。
【００２６】
一般式（ＣＣ−ＩＩ）において、Ｒ１６は水素原子又は置換基を表し、Ｒ１７は置換基を表し、ｓは０〜４の整数を表す。Ｘ５は水素原子又は現像主薬の酸化体との反応において離脱する基を表す。Ｒ１６、Ｒ１７及び／又はＸ５のいずれかに少なくとも１個の一般式（１）で表される置換基を有す。
【００２７】
一般式（ＣＣ−ＩＩＩ）において、Ｒ１８、Ｒ１９は、各々独立に水素原子又は置換基を表し、Ｚｃ及びＺｄは、各々独立に−Ｎ＝又は＝Ｃ（Ｒ２０）−を表す（両基とも、結合の左側と右側は問わない。）。Ｒ２０は水素原子、アルキル基、アリール基、又はヘテロ環基を表す。Ｘ６は水素原子又は現像主薬の酸化体との反応において離脱する基を表す。Ｒ１８、Ｒ１９、Ｒ２０及び／又はＸ６のいずれかに少なくとも１個の一般式（１）で表される置換基を有す。
【００２８】
一般式（ＣＣ−ＩＶ）において、Ｒ２１、Ｒ２２、Ｒ２３は各々独立に水素原子又は置換基を表し、Ｘ７は水素原子又は現像主薬の酸化体との反応において離脱する基を表す。Ｚは窒素原子、又は−Ｃ（Ｒ２４）＝を表し、Ｒ２４は置換基を表す。Ｒ２１、Ｒ２２、Ｒ２３、Ｒ２４及び／又はＸ７のいずれかに少なくとも１個の一般式（１）で表される置換基を有す。
【００２９】
（８）一般式（１）で表される置換基を分子内に有するカプラーがマゼンタカプラーであることを特徴とする（１）〜（３）のいずれか一項に記載のハロゲン化銀カラー写真感光材料。
【００３０】
（９）一般式（１）で表される置換基を分子内に有するカプラーが下記一般式（ＭＣ−Ｉ）、一般式（ＭＣ−ＩＩ）および一般式（ＭＣ−ＩＩＩ）のいずれかで表されるカプラーであることを特徴とする（１）〜（３）、（８）のいずれか一項に記載のハロゲン化銀カラー写真感光材料。
【００３１】
【化８】
2004101649.tif 000007
【００３２】
一般式（ＭＣ−Ｉ）において、Ｒ５は水素原子又は置換基を表し、Ｒ６は置換基を表し、Ｘ１は水素原子又は現像主薬の酸化体との反応において離脱する基を表す。
【００３３】
一般式（ＭＣ−ＩＩ）において、Ｒ７は置換基を表し、ｑは１〜４の整数を表す。
【００３４】
一般式（ＭＣ−ＩＩＩ）において、Ｒ８は水素原子、又は置換基を表し、Ｘ２は水素原子又は現像主薬の酸化体との反応において離脱する基を表す。Ｚａ及びＺｂは各々独立に−Ｃ（Ｒ９）＝又は−Ｎ＝を表す（両基とも、結合の左側と右側は問わない。）。Ｒ９は水素原子、アルキル基、アリール基、又はヘテロ環基を表す。
【００３５】
【発明の実施の形態】
一般式（１）で表される置換基について説明する。
【００３６】
【化９】
2004101649.tif 000008
【００３７】
Ａは−Ｎ（Ｒ４）−を表し、Ｒ４は水素原子、アルキル基、又はアリール基を表し、ｍは０又は１を表す。Ｒ１は置換基を表し、ｎは０〜３の整数を表す。Ｒ２、及びＲ３は各々独立にアルキル基、アルケニル基、又はアリール基を表す。
【００３８】
一般式（１）で表される置換基のＲ１、ｎ、Ｒ２、Ｒ３、Ａ、及びｍについてさらに詳しく説明する。
【００３９】
一般式（１）におけるＲ１は置換基を表し、Ｒ１の置換基は、ハロゲン原子（例えば、フッ素、塩素、臭素）、アルキル基（好ましくは炭素数１〜４８の、直鎖、分岐鎖、又は環状のアルキル基で、例えば、メチル、エチル、プロピル、イソプロピル、ブチル、ｔ−ブチル、ペンチル、ヘキシル、ヘプチル、オクチル、２−エチルヘキシル、ドデシル、ヘキサデシル、シクロプロピル、シクロペンチル、シクロヘキシル、１−ノルボルニル、１−アダマンチル）、アルケニル基（好ましくは炭素数２〜４８のアルケニル基で、例えば、ビニル、アリル、３−ブテン−１−イル）、アリール基（好ましくは炭素数６〜４８のアリール基で、例えば、フェニル、ナフチル）、ヘテロ環基（好ましくは酸素原子、窒素原子、硫黄原子の群から選ばれる少なくとも一個の原子を有する５〜７員の非芳香族ヘテロ環又は芳香族ヘテロ環であって、炭素数１〜３２のもの、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、シリル基（好ましくは炭素数３〜３８のシリル基で、例えば、トリメチルシリル、トリエチルシリル、トリブチルシリル、ｔ−ブチルジメチルシリル、ｔ−ヘキシルジメチルシリル）、ヒドロキシル基、シアノ基、ニトロ基、アルコキシ基（好ましくは炭素数１〜４８のアルコキシ基で、例えば、メトキシ、エトキシ、１−ブトキシ、２−ブトキシ、イソプロポキシ、ｔ−ブトキシ、ドデシルオキシ、シクロアルキルオキシ基で、例えば、シクロペンチルオキ、シクロヘキシルオキシ）、アリールオキシ基（好ましくは炭素数６〜４８のアリールオキシ基で、例えば、フェノキシ、１−ナフトキシ）、ヘテロ環オキシ基（好ましくは炭素数１〜３２のヘテロ環オキシ基で、例えば、１−フェニルテトラゾール−５−オキシ、２−テトラヒドロピラニルオキシ）、シリルオキシ基（好ましくは炭素数１〜３２のシリルオキシ基で、例えば、トリメチルシリルオキシ、ｔ−ブチルジメチルシリルオキシ、ジフェニルメチルシリルオキシ）、アシルオキシ基（好ましくは炭素数２〜４８のアシルオキシ基で、例えば、アセトキシ、ピバロイルオキシ、ベンゾイルオキシ、ドデカノイルオキシ）、アルコキシカルボニルオキシ基（好ましくは炭素数２〜４８のアルコキシカルボニルオキシ基で、例えば、エトキシカルボニルオキシ、ｔ−ブトキシカルボニルオキシ、シクロアルキルオキシカルボニルオキシ基で、例えば、シクロヘキシルオキシカルボニルオキシ）、アリールオキシカルボニルオキシ基（好ましくは炭素数７〜３２オアリールオキシカルボニルオキシ基で、例えば、フェノキシカルボニルオキシ）、カルバモイルオキシ基（好ましくは炭素数１から４８のカルバモイルオキシ基で、例えば、Ｎ，Ｎ−ジメチルカルバモイルオキシ、Ｎ−ブチルカルバモイルオキシ、Ｎ−フェニルカルバモイルオキシ、Ｎ−エチル−Ｎ−フェニルカルバモイルオキシ）、スルファモイルオキシ基（好ましくは炭素数１〜３２のスルファモイルオキシ基で、例えば、Ｎ，Ｎ−ジエチルスルファモイルオキシ、Ｎ−プロピルスルファモイルオキシ）、アルキルスルホニルオキシ基（好ましくは炭素数１〜３８のアルキルスルホニルオキシ基で、例えば、メチルスルホニルオキシ、ヘキサデシルスルホニルオキシ、シクロヘキシルスルホニルオキシ）、アリールスルホニルオキシ基（好ましくは炭素数６〜３２のアリールスルホニルオキシ基で、例えば、フェニルスルホニルオキシ）、アシル基（好ましくは炭素数１から４８のアシル基で、例えば、ホルミル、アセチル、ピバロイル、ベンゾイル、テトラデカノイル、シクロヘキサノイル）、アルコキシカルボニル基（好ましくは炭素数２〜４８のアルコキシカルボニル基で、例えば、メトキシカルボニル、エトキシカルボニル、オクタデシルオキシカルボニル、シクロヘキシルオキシカルボニル、２，６−ジ−ｔｅｒｔ−ブチル−４−メチルシクロヘキシルオキシカルボニル）、アリールオキシカルボニル基（好ましくは炭素数７〜３２のアリールオキシカルボニル基で、例えば、フェノキシカルボニル）、カルバモイル基（好ましくは炭素数１〜４８のカルバモイル基で、例えば、カルバモイル、Ｎ，Ｎ−ジエチルカルバモイル、Ｎ−エチル−Ｎ−オクチルカルバモイル、Ｎ，Ｎ−ジブチルカルバモイル、Ｎ−プロピルカルバモイル、Ｎ−フェニルカルバモイル、Ｎ−メチル−Ｎ−フェニルカルバモイル、Ｎ，Ｎ−ジシクロへキシルカルバモイル）、アミノ基（好ましくは炭素数３２以下のアミノ基で、例えば、アミノ、メチルアミノ、Ｎ，Ｎ−ジブチルアミノ、テトラデシルアミノ、２−エチルへキシルアミノ、シクロヘキシルアミノ）、アニリノ基（好ましくは炭素数６〜３２のアニリノ基で、例えば、アニリノ、Ｎ−メチルアニリノ）、ヘテロ環アミノ基（好ましくは炭素数１〜３２のヘテロ環アミノ基で、例えば、４−ピリジルアミノ）、カルボンアミド基（好ましくは炭素数２〜４８のカルボンアミド基で、例えば、アセトアミド、ベンズアミド、テトラデカンアミド、ピバロイルアミド、シクロヘキサンアミド）、ウレイド基（好ましくは炭素数１〜３２のウレイド基で、例えば、ウレイド、Ｎ，Ｎ−ジメチルウレイド、Ｎ−フェニルウレイド）、イミド基（好ましくは炭素数１０以下のイミド基で、例えば、Ｎ−スクシンイミド、Ｎ−フタルイミド）、アルコキシカルボニルアミノ基（好ましくは炭素数２〜４８のアルコキシカルボニルアミノ基で、例えば、メトキシカルボニルアミノ、エトキシカルボニルアミノ、ｔ−ブトキシカルボニルアミノ、オクタデシルオキシカルボニルアミノ、シクロヘキシルオキシカルボニルアミノ）、アリールオキシカルボニルアミノ基（好ましくは炭素数７〜３２のアリールオキシカルボニルアミノ基で、例えば、フェノキシカルボニルアミノ）、スルホンアミド基（好ましくは炭素数１〜４８のスルホンアミド基で、例えば、メタンスルホンアミド、ブタンスルホンアミド、ベンゼンスルホンアミド、ヘキサデカンスルホンアミド、シクロヘキサンスルホンアミド）、スルファモイルアミノ基（好ましくは炭素数１〜４８のスルファモイルアミノ基で、例えば、Ｎ、Ｎ−ジプロピルスルファモイルアミノ、Ｎ−エチル−Ｎ−ドデシルスルファモイルアミノ）、アゾ基（好ましくは炭素数１〜３２のアゾ基で、例えば、フェニルアゾ、３−ピラゾリルアゾ）、アルキルチオ基（好ましくは炭素数１〜４８のアルキルチオ基で、例えば、メチルチオ、エチルチオ、オクチルチオ、シクロヘキシルチオ）、アリールチオ基（好ましくは炭素数６〜４８のアリールチオ基で、例えば、フェニルチオ）、ヘテロ環チオ基（好ましくは炭素数１〜３２のヘテロ環チオ基で、例えば、２−ベンゾチアゾリルチオ、２−ピリジルチオ、１−フェニルテトラゾリルチオ）、アルキルスルフィニル基（好ましくは炭素数１〜３２のアルキルスルフィニル基で、例えば、ドデカンスルフィニル）、アリールスルフィニル基（好ましくは炭素数６〜３２のアリールスルフィニル基で、例えば、フェニルスルフィニル）、アルキルスルホニル基（好ましくは炭素数１〜４８のアルキルスルホニル基で、例えば、メチルスルホニル、エチルスルホニル、プロピルスルホニル、ブチルスルホニル、イソプロピルスルホニル、２−エチルヘキシルスルホニル、ヘキサデシルスルホニル、オクチルスルホニル、シクロヘキシルスルホニル）、アリールスルホニル基（好ましくは炭素数６〜４８のアリールスルホニル基で、例えば、フェニルスルホニル、１−ナフチルスルホニル）、スルファモイル基（好ましくは炭素数３２以下のスルファモイル基で、例えば、スルファモイル、Ｎ，Ｎ−ジプロピルスルファモイル、Ｎ−エチル−Ｎ−ドデシルスルファモイル、Ｎ−エチル−Ｎ−フェニルスルファモイル、Ｎ−シクロヘキシルスルファモイル）、スルホ基、ホスホニル基（好ましくは炭素数１〜３２のホスホニル基で、例えば、フェノキシホスホニル、オクチルオキシホスホニル、フェニルホスホニル）、ホスフィノイルアミノ基（好ましくは炭素数１〜３２のホスフィノイルアミノ基で、例えば、ジエトキシホスフィノイルアミノ、ジオクチルオキシホスフィノイルアミノ）を表わす。
【００４０】
Ｒ１が更に置換可能な基である場合には、更に、前記の置換基を有していても良く、２個以上の置換基で置換されている場合には、それらの置換基は同一であっても異なっていても良い。
【００４１】
ｎは０〜３の整数を表す。
【００４２】
一般式（１）におけるＲ２及びＲ３は、各々独立にアルキル基、アルケニル基、又はアリール基を表す。Ｒ２及びＲ３のアルキル基、アルケニル基、及びアリール基の好ましい範囲は、前記Ｒ１で説明したアルキル基、アルケニル基、及びアリール基と同じである。Ｒ２及びＲ３のアルキル基、アルケニル基、及びアリール基は、前記Ｒ１で説明した置換基で置換されていても良く、２個以上の置換基で置換されている場合には、それらの置換基は同一であっても異なっていても良い。Ｒ２及びＲ３は互いに結合して５員、６員、又は７員の飽和環を形成していてもよい。
【００４３】
一般式（１）におけるＡは−Ｎ（Ｒ４）−を表し、Ｒ４は水素原子、アルキル基又はアリール基を表す。Ｒ４のアルキル基は前記Ｒ１のアルキル基で説明したのと同じ意味の基を表し、Ｒ４のアリール基は前記Ｒ１で説明したアリール基と同じ意味の基を表す。Ｒ４のアルキル基及びアリール基は、更に前記Ｒ１で説明した置換基を有していても良く、２個以上の置換基で置換されている場合にはそれらの置換基は同一であっても異なっていても良い。
【００４４】
ｍは０又は１を表す。
【００４５】
本発明の一般式（１）で表わされる置換基は、炭素数の総和が１２以上の基である場合には、写真有用性化合物の耐拡散性の基として有用である。かぶり防止剤及び安定剤、光吸収剤、フィルター染料、紫外線吸収剤、ステイン防止剤、色素画像安定剤等の各種添加剤の耐拡散性基として好ましい。
【００４６】
次に、一般式（１）で表される置換基の好ましい範囲について説明する。
一般式（１）で表される置換基は、好ましくは下記一般式（２）で表される。
【００４７】
【化１０】
2004101649.tif 000009
【００４８】
式中、Ｒ２５、Ｒ２６は各々独立にアルキル基、アルケニル基、又はアリール基を表し、Ｒ２７は置換基を表し、Ａ１は−Ｎ（Ｒ２８）−を表し、Ｒ２８は水素原子、アルキル基、又はアリール基を表し、ｐは０又は１を表す。
【００４９】
Ｒ２５、Ｒ２６のアルキル基、アルケニル基、及びアリール基の好ましい範囲は、前記のＲ１で説明したアルキル基、アルケニル基、およびアリール基と同じ意味の基を表し、Ｒ２５及びＲ２６のアルキル基、アルケニル基、及びアリール基は、前記Ｒ１で説明した置換基で置換されていてもよく、２個以上の置換基で置換されている場合にはそれらの置換基は同一であっても異なっていてもよい。
【００５０】
Ｒ２７は置換基を表し、前記のＲ１で説明した置換基と同じ意味の基を表す。Ｒ２７は更に、前記Ｒ１で説明した置換基を有していてもよく、２個以上の置換基で置換されている場合にはそれらの置換基は同一であっても異なっていてもよい。
Ａ１は−Ｎ（Ｒ２８）−を表し、Ｒ２８は水素原子、アルキル基、又はアリール基を表す。Ｒ２８のアルキル基、およびアリール基の好ましい範囲は、前期のＲ１で説明したアルキル基、及びアリール基と同じ意味の基を表す。Ｒ２８のアルキル基、及びアリール基は更に、前記Ｒ１で説明した置換基で置換されていてもよく、２個以上の置換基で置換されている場合には、それらの置換基は同一であっても異なっていてもよい。
【００５１】
ｐは０又は１を表す。
【００５２】
一般式（２）で表される置換基は、更に好ましくはＲ２５、Ｒ２６がアルキル基で表され、Ｒ２７はハロゲン原子、アルキル基、アルコキシカルボニル基で表され、Ａ１は−ＮＨ−で表され、ｐは０又は１で表される。
【００５３】
最も好ましい一般式（２）で表される置換基は、Ｒ２５及びＲ２６はアルキル基で、Ｒ２７はアルキル基で、Ａ１は−ＮＨ−で、ｐは１で表される。
【００５４】
以下に一般式（１）で表される置換基の具体例を以下に示すが、本発明はこれらによって限定されない。
【００５５】
【化１１】
2004101649.tif 000010
【００５６】
【化１２】
2004101649.tif 000011
【００５７】
【化１３】
2004101649.tif 000012
【００５８】
【化１４】
2004101649.tif 000013
【００５９】
カプラーの機能別の用途としては。例えば、色素形成カプラー、ＤＩＲカプラー（例えば、米国特許第３，２２７，５５４号、同４，１４６，３９６号、同４，２４８，９６２号、同４，４０９，３２３号、同４，４２１，８４５号、同４，４７７，５６３号、同３，１４８，０６２号等の各明細書に記載されているカプラー）、弱拡散性色素形成カプラー（例えば、米国特許第４，５２２，９１５号、同４，４２０，５５６号等の各明細書に記載されているカプラー）、現像促進剤もしくは被らせ剤放出カプラー（例えば、米国特許第４，３９０，６１８号明細書に記載されているカプラー）、カラードカプラー（例えば、米国特許第４，００４，９２９号、同４，１３８，２５８号、同４，０７０，１９１号等の各明細書に記載されているカプラー）、競争カプラー（例えば、米国特許第４，１３０，４２７号等の明細書に記載されているカプラー）、多当量カプラー（例えば、米国特許第４，２８３，４７２号、同４，３３８，３９３号、同４，３１０，６１８号等の各明細書に記載されているカプラー）、ＤＩＲレドックス化合物放出カプラー（例えば、特開昭６０−１８５９５０号公報に記載されているカプラー）、離脱後に復色する色素放出カプラー（例えば、欧州公開特許第１７３，３０２号明細書に記載されているカプラー）、あるいは各種のポリマーカプラー（例えば、米国特許第３，７６７，４１２号、同３，６２３，８７１号、同４，３６７，２８２号、同４，４７４，８７０号等の各明細書に記載されているカプラー）等に用いることができる。
【００６０】
本発明における一般式（１）で表される置換基を有するカプラーとしては、色素形成カプラーが好ましい。イエロー、マゼンタ、及びシアンの各画像色素を形成するカプラーが好ましく用いられる。
【００６１】
一般式（１）で表される置換基を有するイエロー色素形成カプラーの例としては、アシルアセトアミド型カプラー、マロンジアミド型カプラー、マロンジエステル型カプラー、マロンエステルアミド型カプラー、ジベンゾイルメタン型カプラー、１−へテロ環アセトアミド型カプラーが挙げられる。シアン色素形成カプラーとしては、例えば、フェノール型カプラー、ナフトール型カプラー、イミダゾール型カプラー、ピロロトリアゾール型カプラー、ピロロピリミジン−オン系カプラー、及びピロロトリアジン−オン系カプラーが挙げられる。いずれのカプラーも４当量カプラーであっても２当量カプラーであっても良く、そのようなカプラーとしては例えば、米国特許第３，９５８，９９３号、同３，９６１，９５９号、同４，３１５，０７０号、同４，１８３，７５２号、同４，１７１，２２３号等の各明細書に記載のカプラーが挙げられる。
【００６２】
本発明において用いられる好ましいイエロー色素形成カプラーとしては、下記一般式（ＹＣ−Ｉ）で表されるカプラーが挙げられる。
【００６３】
【化１５】
2004101649.tif 000014
【００６４】
式中、Ｒ１０及びＲ１１は各々独立にアリール基、ヘテロ環基、アルコキシカルボニル基、アリールオキシカルボニル基、アシル基、カルバモイル基、スルファモイル基、シアノ基、スルホニル基、スルフィニル基を表し、Ｒ１０とＲ１１とが互いに結合して５員、６員又は７員の環を形成していても良い。Ｒ１０およびＲ１１が同時にアリール基であることはない。Ｘ３は水素原子、又は現像主薬の酸化体との反応において離脱する基を表す。Ｒ１０、Ｒ１１及び／又はＸ３のいずれかに少なくとも１個の一般式（１）で表される置換基を有する。
【００６５】
一般式（ＹＣ−Ｉ）におけるＲ１０、Ｒ１１及びＸ３について更に詳しく説明する。
【００６６】
一般式（ＹＣ−Ｉ）におけるＲ１０及びＲ１１は、各々独立にアリール基、ヘテロ環基、アルコキシカルボニル基、アリールオキシカルボニル基、アシル基、カルバモイル基、スルファモイル基、シアノ基、スルホニル基、スルフィニル基を表す。Ｒ１０及びＲ１１のアリール基、ヘテロ環基、アルコキシカルボニル基、アリールオキシカルボニル基、アシル基、カルバモイル基、スルファモイル基、シアノ基、スルホニル基、及びスルフィニル基の好ましい範囲については、前記Ｒ１で説明したアリール基、ヘテロ環基、アルコキシカルボニル基、アリールオキシカルボニル基、アシル基、カルバモイル基、スルファモイル基、シアノ基、スルホニル基、及びスルフィニル基と同じ意味の基を表す。
【００６７】
Ｒ１０とＲ１１とが互いに結合して５員、６員又は７員の環を形成していても良い。ただしＲ１０およびＲ１１が同時にアリール基であることはない。
【００６８】
Ｒ１０及びＲ１１のアリール基、ヘテロ環基、アルコキシカルボニル基、アリールオキシカルボニル基、アシル基、カルバモイル基、スルファモイル基、シアノ基、スルホニル基、及びスルフィニル基は更に前記Ｒ１で説明した置換基を有していても良く、２個以上の置換基で置換されている場合にはそれらの置換基は同一であっても異なっていても良い。
【００６９】
一般式（ＹＣ−Ｉ）におけるＸ３は、水素原子又は現像主薬の酸化体との反応において離脱する基を表す。現像主薬の酸化体との反応において離脱する基としては、例えば、ハロゲン原子、アルコキシ基、アリールオキシ基、ヘテロ環オキシ基、アルキルチオ基、アリールチオ基、ヘテロ環チオ基、カップリング位と窒素原子で結合するイミド環基又は芳香族へテロ環基、又はスルホニル基が挙げられる。これらのハロゲン原子、アルコキシ基、アリールオキシ基、ヘテロ環オキシ基、アルキルチオ基、アリールチオ基、ヘテロ環チオ基、イミド環基、芳香族へテロ環基、及びスルホニル基の好ましい範囲については、前記Ｒ１で説明したハロゲン原子、アルコキシ基、アリールオキシ基、ヘテロ環オキシ基、アルキルチオ基、アリールチオ基、ヘテロ環チオ基、イミド環基、芳香族へテロ環基、及びスルホニル基と同じ意味の基を表す。
【００７０】
Ｘ３のアルコキシ基、アリールオキシ基、ヘテロ環オキシ基、アルキルチオ基、アリールチオ基、ヘテロ環チオ基、イミド環基、芳香族へテロ環基、及びスルホニル基は、更に前記Ｒ１で説明した置換基で置換されていても良く、２個以上の置換基で置換されている場合には、それらの置換基は同一であっても異なっていても良い。
【００７１】
一般式（ＹＣ−Ｉ）におけるＲ１０、Ｒ１１及び／又はＸ３のいずれかに少なくとも１個の一般式（１）で表される置換基を有する。一般式（１）で表される置換基数の上限は３個であり、好ましくは２個以下、最も好ましくは１個である。
【００７２】
次に、本発明のイエロー色素形成カプラーの好ましい範囲について説明する。一般式（ＹＣ−Ｉ）で表されるカプラーにおいては、Ｒ１０はヘテロ環基、アルコキシカルボニル基、アシル基、又はカルバモイル基で、Ｒ１１はアルコキシカルボニル基、アシル基、カルバモイル基、又はシアノ基で、Ｘ３は水素原子、ハロゲン原子、アリールオキシ基、アルキルチオ基、アリールチオ基、ヘテロ環チオ基、又はカップリング位と窒素原子で結合するイミド環基又は芳香族へテロ環基であり、Ｒ１０及び／又はＲ１１のいずれかに少なくとも１個の一般式（２）で表される置換基を有するカプラーが好ましい。
【００７３】
一般式（ＹＣ−Ｉ）で表されるカプラーにおいて更に好ましくは、Ｒ１０はヘテロ環基、アルコキシカルボニル基、アシル基、又はカルバモイル基で、Ｒ１１はカルバモイル基、又はシアノ基で、Ｘ３はアリールオキシ基、アルキルチオ基、アリールチオ基、ヘテロ環チオ基、又はカップリング位と窒素原子で結合するイミド環基又は芳香族へテロ環基であり、Ｒ１０及び／又はＲ１１のいずれかに少なくとも１個の一般式（２）で表される置換基を有するカプラーである。この中で、より好ましくは、Ｒ１１に少なくとも１個の一般式（２）で表され、一般式（２）においてＡ１が−ＮＨ−で、ｐが０又は１で、Ｒ２５及びＲ２６がアルキル基で、Ｒ２７がハロゲン原子、アルコキシカルボニル基、又はアルキル基で表されるカプラーである。
【００７４】
一般式（ＹＣ−Ｉ）で表されるカプラーにおいて最も好ましくは、Ｒ１０はヘテロ環基、アルコキシカルボニル基、アシル基、又はカルバモイル基で、Ｒ１１はカルバモイル基、又はシアノ基で、Ｘ３はアリールオキシ基、アルキルチオ基、アリールチオ基、ヘテロ環チオ基、又はカップリング位と窒素原子で結合するイミド環基又は芳香族へテロ環基であり、Ｒ１１に少なくとも１個の一般式（２）で表され、一般式（２）におけるＡ１が−ＮＨ−で、ｐが１で、Ｒ２５及びＲ２６がアルキル基で、Ｒ２７が三級アルキル基で表されるカプラーである。
【００７５】
以下に本発明の一般式（ＹＣ−Ｉ）で表されるイエローカプラ−の具体例を示すが、本発明はこれらによって限定されるわけではない。
【００７６】
【化１６】
2004101649.tif 000015
【００７７】
【化１７】
2004101649.tif 000016
【００７８】
【化１８】
2004101649.tif 000017
【００７９】
【化１９】
2004101649.tif 000018
【００８０】
【化２０】
2004101649.tif 000019
【００８１】
【化２１】
2004101649.tif 000020
【００８２】
本発明において好ましいシアン色素形成カプラーとしては、一般式（ＣＣ−Ｉ）、一般式（ＣＣ−ＩＩ）、一般式（ＣＣ−ＩＩＩ）又は一般式（ＣＣ−ＩＶ）で表されるカプラーが挙げられる。
【００８３】
【化２２】
2004101649.tif 000021
【００８４】
一般式（ＣＣ−Ｉ）において、Ｒ１２、Ｒ１３、Ｒ１４、Ｒ１５は、各々独立に水素原子、又は置換基を表し、Ｒ１４とＲ１５は互いに結合して５員、６員又は７員の飽和環を形成しても良い。Ｘ４は水素原子又は現像主薬の酸化体との反応において離脱する基を表す。Ｒ１２、Ｒ１３、Ｒ１４、Ｒ１５及び／又はＸ４のいずれかに少なくとも１個の一般式（１）で表される置換基を有す。
【００８５】
一般式（ＣＣ−ＩＩ）において、Ｒ１６は水素原子又は置換基を表し、Ｒ１７は置換基を表し、ｓは０〜４の整数を表す。Ｘ５は水素原子又は現像主薬の酸化体との反応において離脱する基を表す。Ｒ１６、Ｒ１７及び／又はＸ５のいずれかに少なくとも１個の一般式（１）で表される置換基を有す。
【００８６】
一般式（ＣＣ−ＩＩＩ）において、Ｒ１８、Ｒ１９は、各々独立に水素原子又は置換基を表し、Ｚｃ及びＺｄは、各々独立に−Ｎ＝又は＝Ｃ（Ｒ２０）−を表す（両基とも、結合の左側と右側は問わない。）。Ｒ２０は水素原子、アルキル基、アリール基、又はヘテロ環基を表す。Ｘ６は水素原子又は現像主薬の酸化体との反応において離脱する基を表す。Ｒ１８、Ｒ１９、Ｒ２０及び／又はＸ６のいずれかに少なくとも１個の一般式（１）で表される置換基を有す。
【００８７】
一般式（ＣＣ−ＩＶ）において、Ｒ２１、Ｒ２２、Ｒ２３は各々独立に水素原子又は置換基を表し、Ｘ７は水素原子又は現像主薬の酸化体との反応において離脱する基を表す。Ｚは窒素原子、又は−Ｃ（Ｒ２４）＝を表し、Ｒ２４は置換基を表す。Ｒ２１、Ｒ２２、Ｒ２３、Ｒ２４及び／又はＸ７のいずれかに少なくとも１個の一般式（１）で表される置換基を有す。
【００８８】
次に、一般式（ＣＣ−Ｉ）〜一般式（ＣＣ−ＩＶ）におけるＲ１２〜Ｒ２４、Ｘ４〜Ｘ７、ｓ、Ｚｃ、Ｚｄ、及びＺについて詳しく説明する。
【００８９】
一般式（ＣＣ−Ｉ）におけるＲ１２、Ｒ１３、Ｒ１４、Ｒ１５は、各々独立に水素原子、又は置換基を表し、Ｒ１２、Ｒ１３、Ｒ１４、Ｒ１５の置換基は、前記Ｒ１で説明した置換基と同じ意味の基を表す。Ｒ１２、Ｒ１３、Ｒ１４、Ｒ１５の置換基は、更に前記Ｒ１で説明した置換基で置換されていても良く、２個以上の置換基で置換されている場合にはそれらの置換基は同一であっても異なっていても良い。又、Ｒ１４とＲ１５は互いに結合して５員、６員又は７員の飽和環を形成しも良い。これらの５員、６員及び７員の飽和環は、前記Ｒ１で説明した置換基で置換されていても良く、２個以上の置換基で置換されている場合には、それらの置換基は同一であっても異なっていても良い。
【００９０】
Ｘ４は、水素原子又は現像主薬の酸化体との反応において離脱する基を表し、前記の一般式（ＹＣ−Ｉ）におけるＸ３と同じ意味の基を表す。
【００９１】
一般式（ＣＣ−Ｉ）におけるＲ１２、Ｒ１３、Ｒ１４、Ｒ１５及び／又はＸ４のいずれかに少なくとも１個の一般式（１）で表される置換基を有する。一般式（１）で表わされる置換基は、Ｒ１２及び／又はＲ１５の置換基内に含まれることが好ましく、その個数は、最も好ましくは１個である。
【００９２】
一般式（ＣＣ−ＩＩ）におけるＲ１６は水素原子又は置換基を表し、Ｒ１６の置換基は、前記Ｒ１で説明した置換基と同じ意味の基を表す。Ｒ１６の置換基は、更に前記Ｒ１で説明した置換基で置換されていても良く、２個以上の置換基で置換されている場合にはそれらの置換基は同一であっても異なっていても良い。
【００９３】
一般式（ＣＣ−ＩＩ）におけるＲ１７は置換基を表し、Ｒ１７の置換基は、前記Ｒ１で説明した置換基と同じ意味の基を表す。Ｒ１７の置換基は、更に前記Ｒ１で説明した置換基で置換されていても良く、２個以上の置換基で置換されている場合にはそれらの置換基は同一であっても異なっていても良い。ｓは０〜４の整数を表す。
【００９４】
Ｘ５は、水素原子又は現像主薬の酸化体との反応において離脱する基を表し、前記の一般式（ＹＣ−Ｉ）におけるＸ３と同じ意味の基を表す。
【００９５】
Ｒ１６、Ｒ１７及び／又はＸ５のいずれかに少なくとも１個の一般式（１）で表される置換基を有する。一般式（１）で表わされる置換基は、Ｒ１６及び／又はＲ１７の置換基内に含まれることが好ましく、その個数は、最も好ましくは１個である。
【００９６】
一般式（ＣＣ−ＩＩＩ）におけるＲ１８、Ｒ１９は各々独立に水素原子又は置換基を表し、Ｒ１８及びＲ１９の置換基は前記Ｒ１で説明した置換基と同じ意味の基を表す。Ｒ１８及びＲ１９の置換基は更に前記Ｒ１で説明した置換基で置換されていても良く、２個以上の置換基で置換されている場合にはそれらの置換基は同一であっても異なっていても良い。
【００９７】
一般式（ＣＣ−ＩＩＩ）におけるＺｃ及びＺｄは、各々独立に−Ｎ＝又は＝Ｃ（Ｒ２０）−を表し（両基とも、結合の左側と右側は問わない。）、Ｒ２０は水素原子、アルキル基、アリール基、又はヘテロ環基を表す。Ｒ２０のアルキル基、アリール基、及びヘテロ環基の好ましい範囲は、前記Ｒ１で説明したアルキル基、アリール基及びヘテロ環基と同じ意味を表す。Ｒ２０のアルキル基、アリール基、及びヘテロ環基は更に前記Ｒ１で説明した置換基で置換されていても良く、２個以上の置換基で置換されている場合にはそれらの置換基は同一であっても異なっていても良い。
【００９８】
Ｘ６は水素原子又は現像主薬の酸化体との反応において離脱する基を表し、前記の一般式（ＹＣ−Ｉ）におけるＸ３と同じ意味の基を表す。
【００９９】
Ｒ１８、Ｒ１９、Ｒ２０及び／又はＸ６のいずれかに少なくとも１個の一般式（１）で表される置換基を有する。一般式（１）で表わされる置換基は、Ｒ２０の置換基内に含まれることが好ましく、その個数は、最も好ましくは１個である。
【０１００】
一般式（ＣＣ−ＩＶ）におけるＲ２１、Ｒ２２及びＲ２３は各々独立に水素原子、又は置換基を表し、Ｒ２１、Ｒ２２及びＲ２３の置換基は。前記Ｒ１で説明した置換基と同じ意味の基を表す。Ｒ２１、Ｒ２２及びＲ２３の置換基は更に前記Ｒ１で説明した置換基で置換されていても良く、２個以上の置換基で置換されている場合にはそれらの置換基は同一であっても異なっていても良い。
【０１０１】
一般式（ＣＣ−ＩＶ）のＺは、−Ｎ＝、又は−Ｃ（Ｒ２４）＝を表し、Ｒ２４は置換基を表す。Ｒ２４の置換基は、前記のＲ１で説明した置換基と同じ意味の基を表す。Ｒ２４の置換基は更にＲ１で説明した置換基で置換されていてもよく、２個以上の置換基で置換されているときには、それらの置換基は同一であっても異なっていてもよい。
【０１０２】
Ｘ７は、水素原子、又は現像主薬の酸化体との反応において離脱する基を表し、前記の一般式（ＹＣ−Ｉ）におけるＸ３と同じ意味の基を表す。
【０１０３】
Ｒ２１、Ｒ２２、Ｒ２３、Ｒ２４及び／又はＸ７のいずれかに少なくとも１個の一般式（１）で表される置換基を有する。一般式（１）で表わされる置換基は、Ｒ２１及びＲ２２の置換基内に含まれることが好ましく、その個数は、最も好ましくは１個である。
【０１０４】
次に、一般式（ＣＣ−Ｉ）、一般式（ＣＣ−ＩＩ）、一般式（ＣＣ−ＩＩＩ）及び一般式（ＣＣ−ＩＶ）で表されるシアン色素形成カプラーの好ましい範囲について説明する。
【０１０５】
一般式（ＣＣ−Ｉ）で表されるカプラーにおいては、Ｒ１２はアシルアミノ基、アルコキシカルボニルアミノ基、又はウレイド基、Ｒ１３は水素原子、Ｒ１４は水素原子、ハロゲン原子、アルキル基、アリール基、アシルアミノ基、アルコキシカルボニルアミノ基、又はウレイド基で、Ｒ１５は水素原子、ハロゲン原子、アルキル基、アルコキシ基、アシルアミノ基、アルコキシカルボニルアミノ基、又はウレイド基であるかＲ１４とＲ１５とは互いに結合した５員又は６員の飽和環、Ｘ４は水素原子、ハロゲン原子、アルコキシ基、アリールオキシ基、アルキルチオ基、アリールチオ基、ヘテロ環チオ基、又は窒素原子で結合している芳香族へテロ環基であり、Ｒ１２、Ｒ１４及び／又はＲ１５のいずれかに少なくとも１個の一般式（１）で表される置換基を有するカプラーが好ましい。
【０１０６】
一般式（ＣＣ−Ｉ）で表されるカプラーにおいて更に好ましくは、Ｒ１２はアシルアミノ基、アルコキシカルボニルアミノ基、又はウレイド基、Ｒ１３は水素原子、Ｒ１４は水素原子、ハロゲン原子、アシルアミノ基、アルコキシカルボニルアミノ基、又はウレイド基で、Ｒ１５はアルキル基、アルコキシ基、アシルアミノ基、アルコキシカルボニルアミノ基、又はウレイド基であるかＲ１４とＲ１５とが互いに結合した５員又は６員の飽和環であり、Ｘ４は水素原子、ハロゲン原子、アリールオキシ基、アルキルチオ基、アリールチオ基、ヘテロ環チオ基、又は窒素原子で結合している芳香族へテロ環基であり、Ｒ１２、Ｒ１４及び／又はＲ１５のいずれかに少なくとも１個の一般式（２）で表される置換基を有するカプラーである。その中で、より好ましくは、一般式（２）におけるＡ１が−ＮＨ−で、ｐが０又は１で、Ｒ２５及びＲ２６がアルキル基で、Ｒ２７がハロゲン原子、アルキル基、又はアルコキシカルボニル基で表されるカプラーである。
【０１０７】
一般式（ＣＣ−Ｉ）で表されるカプラーにおいて最も好ましくは、Ｒ１２はアシルアミノ基、アルコキシカルボニルアミノ基、又はウレイド基、Ｒ１３は水素原子、Ｒ１４は水素原子、又はハロゲン原子で、Ｒ１５がアルキル基、アルコキシ基、アシルアミノ基、アルコキシカルボニルアミノ基、又はウレイド基であるか、Ｒ１４とＲ１５が互いに結合した５員又は６員の飽和環であり、Ｘ４は水素原子、ハロゲン原子、アリールオキシ基、アルキルチオ基、アリールチオ基、ヘテロ環チオ基、又は窒素原子で結合している芳香族へテロ環基であり、Ｒ１２、Ｒ１４及び／又はＲ１５のいずれかに少なくとも１個の一般式（２）で表される置換基を有し、かつ一般式（２）におけるＡ１が−ＮＨ−で、ｐが１で、Ｒ２５及びＲ２６アルキル基で、Ｒ２７が三級アルキル基で表されるカプラーである。
【０１０８】
一般式（ＣＣ−ＩＩ）で表されるカプラーにおいては、Ｒ１６はハロゲン原子、アシルアミノ基、アルコキシカルボニルアミノ基、ウレイド基、カルバモイル基、又はスルファモイル基、Ｒ１７はハロゲン原子、アシルアミノ基、アルコキシカルボニルアミノ基、ウレイド基、又はスルホンアミド基、ｓは０又は１、Ｘ５は水素原子、ハロゲン原子、アリールオキシ基、アリールチオ基、ヘテロ環チオ基、又は窒素原子で結合している芳香族へテロ環基であり、Ｒ１６及び／又はＲ１７のいずれかに少なくとも１個の一般式（１）で表される置換基を有するカプラーが好ましい。
【０１０９】
一般式（ＣＣ−ＩＩ）で表されるカプラーにおいて更に好ましくは、Ｒ１６はハロゲン原子、アシルアミノ基、アルコキシカルボニルアミノ基、ウレイド基、カルバモイル基、又はスルファモイル基、Ｒ１７はハロゲン原子、アシルアミノ基、アルコキシカルボニルアミノ基、ウレイド基、又はスルホンアミド基、ｓは０又は１、Ｘ５は水素原子、ハロゲン原子、アリールオキシ基、アリールチオ基、ヘテロ環チオ基、又は窒素原子で結合している芳香族へテロ環基であり、Ｒ１６及び／又はＲ１７のいずれかに少なくとも１個の一般式（２）で表される置換基を有するカプラーである。その中で、より好ましくは、一般式（２）におけるＡ１が−ＮＨ−で、ｐが０又は１で、Ｒ２５及びＲ２６がアルキル基で、Ｒ２７がハロゲン原子、アルキル基、アルコキシカルボニル基で表されるカプラーである。
【０１１０】
一般式（ＣＣ−ＩＩ）で表されるカプラーにおいて最も好ましくは、Ｒ１６はハロゲン原子、アシルアミノ基、アルコキシカルボニルアミノ基、ウレイド基、カルバモイル基、又はスルファモイル基、Ｒ１７はハロゲン原子、アシルアミノ基、アルコキシカルボニルアミノ基、ウレイド基、又はスルホンアミド基、ｓは０又は１、Ｘ５は水素原子、ハロゲン原子、アリールオキシ基、アリールチオ基、ヘテロ環チオ基、又は窒素原子で結合している芳香族へテロ環基であり、Ｒ１６及び／又はＲ１７のいずれかに少なくとも１個の一般式（２）で表される置換基を有し、一般式（２）におけるＡ１が−ＮＨ−で、ｐが１で、Ｒ２５及びＲ２６がアルキル基で、Ｒ２７が三級アルキル基で表されるカプラーである。
【０１１１】
一般式（ＣＣ−ＩＩＩ）で表されるカプラーにおいては、Ｒ１８はアルキル基、アリール基、ヘテロ環基、シアノ基、アルコキシカルボニル基、カルバモイル基、又はスルホニル基で、Ｒ１９はアルキル基、アリール基、ヘテロ環基、アルコキシカルボニル基、シアノ基、又はスルホニル基であり、Ｚｃ及びＺｄは、各々独立に−Ｎ＝又は＝Ｃ（Ｒ２０）−を表し、Ｒ２０は水素原子、アルキル基、アリール基、又はヘテロ環基で、Ｘ６は水素原子、ハロゲン原子、アルコキシ基、アリールオキシ基、アルキルチオ基、アリールチオ基、又は窒素原子で結合している芳香族へテロ環基であり、Ｒ１８、Ｒ１９及び／又はＲ２０のいずれかに少なくとも１個の一般式（１）で表される置換基を有しているカプラーが好ましい。
【０１１２】
一般式（ＣＣ−ＩＩＩ）で表されるカプラーにおいて更に好ましくは、Ｒ１８はアルキル基、アリール基、ヘテロ環基、シアノ基、アルコキシカルボニル基、カルバモイル基、又はスルホニル基で、Ｒ１９はアルキル基、アリール基、ヘテロ環基、アルコキシカルボニル基、シアノ基、又はスルホニル基であり、Ｚｃ及びＺｄは、各々独立に−Ｎ＝又は＝Ｃ（Ｒ２０）−を表し、Ｒ２０は水素原子、アルキル基、アリール基、又はヘテロ環基で、Ｘ６は水素原子、ハロゲン原子、アルコキシ基、アリールオキシ基、アルキルチオ基、アリールチオ基、又は窒素原子で結合している芳香族へテロ環基であり、Ｒ１８、Ｒ１９、及び／又はＲ２０のいずれかに少なくとも１個の一般式（２）で表される置換基を有しているカプラーである。その中で、より好ましくは一般式（２）におけるＡ１が−ＮＨ−で、ｐが０又は１で、Ｒ２５及びＲ２６がアルキル基で、Ｒ２７がハロゲン原子、アルキル基、又はアルコキシカルボニル基で表されるカプラーである。
【０１１３】
一般式（ＣＣ−ＩＩＩ）で表されるカプラーにおいて最も好ましくは、Ｒ１８はアルキル基、アリール基、ヘテロ環基、シアノ基、アルコキシカルボニル基、カルバモイル基、又はスルホニル基で、Ｒ１９はアルキル基、アリール基、ヘテロ環基、アルコキシカルボニル基、シアノ基、又はスルホニル基であり、Ｚｃ及びＺｄは、各々独立に−Ｎ＝又は＝Ｃ（Ｒ２０）−を表し、Ｒ２０が水素原子、アルキル基、アリール基、又はヘテロ環基で、Ｘ６は水素原子、ハロゲン原子、アルコキシ基、アリールオキシ基、アルキルチオ基、アリールチオ基、又は窒素原子で結合している芳香族へテロ環基であり、Ｒ１８、Ｒ１９、及び／又はＲ２０のいずれかに少なくとも１個の一般式（２）で表される置換基を有し、一般式（２）におけるＡ１が−ＮＨ−で、ｐが１で、Ｒ２５及びＲ２６がアルキル基で、Ｒ２７が三級アルキル基で表されるカプラーである。
【０１１４】
一般式（ＣＣ−ＩＶ）で表されるカプラーにおいては、Ｒ２１がアルキル基、アリール基、ヘテロ環基、アルコキシ基、アリールオキシ基、アルコキシカルボニル基、カルバモイル基、シアノ基、スルファモイル基、又はスルホニル基で、Ｒ２２がアルキル基、アリール基、ヘテロ環基、アルコキシカルボニル基、カルバモイル基、シアノ基、スルファモイル基、又はスルホニル基で、Ｒ２３がアルキル基、アリール基、アルコキシ基、アリールオキシ基、アルキルチオ基、アリールチオ基、アミノ基、アシルアミノ基、アニリノ基、アルコキシカルボニルアミノ基、ウレイド基、スルホニル基、又はイミド基で、Ｘ７が水素原子、ハロゲン原子、アルコキシ基、アリールオキシ基、アルキルチオ基、アリールチオ基、又は窒素原子で結合している芳香族へテロ環基で、Ｚが−Ｎ＝又は−Ｃ（Ｒ２４）＝であり、Ｒ２１、Ｒ２２、Ｒ２３又はＲ２４のいずれかに少なくとも１個の一般式（１）で表される置換基を有しているカプラーが好ましい。
【０１１５】
一般式（ＣＣ−ＩＶ）で表されるカプラーにおいて更に好ましくは、Ｒ２１がアルキル基、アリール基、ヘテロ環基、アルコキシ基、アリールオキシ基、アルコキシカルボニル基、カルバモイル基、シアノ基、スルファモイル基、又はスルホニル基で、Ｒ２２がアルキル基、アリール基、ヘテロ環基、アルコキシカルボニル基、カルバモイル基、シアノ基、スルファモイル基、又はスルホニル基で、Ｒ２３がアルキル基、アリール基、アルコキシ基、アリールオキシ基、アルキルチオ基、アリールチオ基、アミノ基、アシルアミノ基、アニリノ基、アルコキシカルボニルアミノ基、ウレイド基、スルホニル基、又はイミド基で、Ｘ７が水素原子、ハロゲン原子、アルコキシ基、アリールオキシ基、アルキルチオ基、アリールチオ基、又は窒素原子で結合している芳香族へテロ環基で、Ｚが−Ｎ＝又は−Ｃ（Ｒ２４）＝であり、Ｒ２１、Ｒ２２、Ｒ２３、又はＲ２４のいずれかに少なくとも１個の一般式（２）で表される置換基を有しているカプラーである。その中で、より好ましくは、一般式（２）におけるＡ１が−ＮＨ−で、ｐが０又は１で、Ｒ２５及びＲ２６がアルキル基で、Ｒ２７がハロゲン原子、アルキル基、又はアルコキシカルボニル基で表されるカプラーである。
【０１１６】
一般式（ＣＣ−ＩＶ）で表されるカプラーにおいて最も好ましくは、Ｒ２１がアルキル基、アリール基、ヘテロ環基、アルコキシ基、アリールオキシ基、アルコキシカルボニル基、カルバモイル基、シアノ基、スルファモイル基、又はスルホニル基で、Ｒ２２がアルキル基、アリール基、ヘテロ環基、アルコキシカルボニル基、カルバモイル基、シアノ基、スルファモイル基、又はスルホニル基で、Ｒ２３がアルキル基、アリール基、アルコキシ基、アリールオキシ基、アルキルチオ基、アリールチオ基、アミノ基、アシルアミノ基、アニリノ基、アルコキシカルボニルアミノ基、ウレイド基、スルホニル基、又はイミド基で、Ｘ７が水素原子、ハロゲン原子、アルコキシ基、アリールオキシ基、アルキルチオ基、アリールチオ基、又は窒素原子で結合している芳香族へテロ環基で、Ｚが−Ｎ＝でＲ２１、Ｒ２２、又はＲ２３のいずれかに少なくとも１個の一般式（２）で表される置換基を有し、一般式（２）におけるＡ１が−ＮＨ−で、ｐが１で、Ｒ２５及びＲ２６がアルキル基で、Ｒ２７が三級アルキル基で表されるカプラーである。
【０１１７】
以下に、本発明のシアン色素形成カプラーの具体例を示すが、本発明はこれらによって限定されるわけではない。
【０１１８】
【化２３】
2004101649.tif 000022
【０１１９】
【化２４】
2004101649.tif 000023
【０１２０】
【化２５】
2004101649.tif 000024
【０１２１】
【化２６】
2004101649.tif 000025
【０１２２】
本発明において好ましいマゼンタ色素形成カプラーとしては、下記一般式（ＭＣ−Ｉ）、一般式（ＭＣ−ＩＩ）又は一般式（ＭＣ−ＩＩＩ）で表されるカプラーが挙げられる。
【０１２３】
【化２７】
2004101649.tif 000026
【０１２４】
一般式（ＭＣ−Ｉ）において、Ｒ５は水素原子又は置換基を表し、Ｒ６は置換基を表し、Ｘ１は水素原子又は現像主薬の酸化体との反応において離脱する基を表す。一般式（ＭＣ−Ｉ）におけるＲ５、Ｒ６及び／又はＸ１のいずれかに少なくとも１個の一般式（１）で表される置換基を有す。
【０１２５】
一般式（ＭＣ−ＩＩ）において、Ｒ７は一般式（１）で表される置換基を表し、ｑは１〜４の整数を表す。
【０１２６】
一般式（ＭＣ−ＩＩＩ）において、Ｒ８は水素原子、又は置換基を表し、Ｘ２は水素原子又は現像主薬の酸化体との反応において離脱する基を表す。Ｚａ及びＺｂは各々独立に−Ｃ（Ｒ９）＝又は−Ｎ＝を表す（両基とも、結合の左側と右側は問わない。）。Ｒ９は水素原子、アルキル基、アリール基、又はヘテロ環基を表す。一般式（ＭＣ−ＩＩＩ）におけるＲ８、Ｒ９及び／又はＸ２のいずれかに少なくとも１個の一般式（１）で表される置換基を有す。但し、Ｚａが−Ｎ＝、Ｚｂが＝Ｃ（Ｒ９）−であり、Ｒ９がアラルキレン基を介して一般式（１）で表される置換基が結合しているものは除く。
【０１２７】
次に、一般式（ＭＣ−Ｉ）、一般式（ＭＣ−ＩＩ）及び一般式（ＭＣ−ＩＩＩ）における、Ｒ５〜Ｒ９、Ｘ１、Ｘ２、ｐ、ｑ、Ｚａ及びＺｂについて詳しく説明する。
一般式（ＭＣ−Ｉ）におけるＲ５は、水素原子又は置換基を表し、Ｒ５の置換基は前記Ｒ１で説明した置換基と同じ意味の基を表す。Ｒ５の置換基は、更に前記Ｒ１で説明した置換基を有していてもよく、２個以上の置換基で置換されている場合には、それらの置換基は同一であっても異なっていてもよい。
【０１２８】
一般式（ＭＣ−Ｉ）のＲ６は、アルキル基、アリール基、又はヘテロ環基を表す。Ｒ６のアルキル基、アリール基、及びヘテロ環基の好ましい範囲は前記Ｒ１で説明したのと同じ意味の基を表す。Ｒ６のアルキル基、アリール基、及びヘテロ環基は、更に前記Ｒ１で説明した置換基で置換されていても良く、２個以上の置換基で置換されている場合にはそれらの置換基は同一であっても異なっていても良い。
【０１２９】
Ｘ１は水素原子又は現像主薬の酸化体との反応において離脱する基を表し、前記の一般式（ＹＣ−Ｉ）におけるＸ３と同じ意味の基を表す。
【０１３０】
一般式（ＭＣ−Ｉ）におけるＲ５、Ｒ６及び／又はＸ１のいずれかに少なくとも１個の一般式（１）で表される置換基を有す。
【０１３１】
一般式（ＭＣ−ＩＩ）におけるＲ７は置換基を表し、ｑは１〜４の整数を表す。Ｒ７の置換基は前記のＲ１で説明した置換基を同じ意味の基を表し、Ｒ７の置換基は、更にＲ１で説明した置換基で置換されていてもよく、２個以上の置換基で置換されている場合には、それらの置換基は同一であっても異なっていてもよい。Ｒ７に一般式（１）で表される置換基を有している。
【０１３２】
一般式（ＭＣ−ＩＩＩ）におけるＲ８は水素原子、又は置換基を表し、Ｒ８の置換基は、前記Ｒ１で説明した置換基と同じ意味の基を表す。Ｒ８の置換基は更に前記Ｒ１で説明した置換基で置換されていても良く、２個以上の置換基で置換されている場合には、それらの置換基は同一であっても異なっていても良い。
【０１３３】
一般式（ＭＣ−ＩＩＩ）における、ＺａおよびＺｂは各々独立に−Ｎ＝又は−Ｃ（Ｒ９）＝を表し（両基とも、結合の左側と右側は問わない。）、Ｒ９は水素原子、アルキル基、アリール基、又はヘテロ環基を表す。Ｒ９のアルキル基、アリール基、及びヘテロ環基の好ましい範囲は前記Ｒ１で説明したアルキル基、アリール基、及びヘテロ環基と同じ意味の基を表す。Ｒ９のアルキル基、アリール基、及びヘテロ環基は、更に前記Ｒ１で説明した置換基で置換されていても良く、２個以上の置換基で置換されている場合にはそれらの置換基は同一であっても異なっていても良い。但し、Ｚａが−Ｎ＝であって、Ｚｂが＝Ｃ（Ｒ９）−である場合には、Ｒ９はアラルキレン基であることは除く。
【０１３４】
Ｘ２は水素原子又は現像主薬の酸化体との反応において離脱する基を表し、前記の一般式（ＹＣ−Ｉ）におけるＸ３で説明した基と同じ意味の基を表す。
【０１３５】
一般式（ＭＣ−ＩＩＩ）におけるＲ８、Ｒ９及び／又はＸ２のいずれかに少なくとも１個の一般式（１）で表される置換基を有す。
【０１３６】
次に、一般式（ＭＣ−Ｉ）、一般式（ＭＣ−ＩＩ）及び一般式（ＭＣ−ＩＩＩ）で示されるマゼンタ色素形成カプラーの好ましい範囲について説明する。
【０１３７】
一般式（ＭＣ−Ｉ）で表されるカプラーにおいては、Ｒ５がアルキル基、アリール基、ヘテロ環基、アルコキシ基、アシルアミノ基、又はアニリノ基で、Ｒ６はアルキル基、アリール基、又はヘテロ環基で、Ｘ１は水素原子、アルキルチオ基、アリールチオ基、ヘテロ環チオ基、窒素原子で結合している芳香族へテロ環基で、Ｒ５及び／又はＲ６のいずれかに少なくとも１個の一般式（１）で表される基を有するカプラーが好ましい。
【０１３８】
一般式（ＭＣ−Ｉ）で表されるカプラーにおいて更に好ましくは、Ｒ５がアシルアミノ基、又はアニリノ基で、Ｒ６はアリール基で、Ｘ１は水素原子、アルキルチオ基、アリールチオ基、ヘテロ環チオ基、窒素原子で結合している芳香族へテロ環基で、Ｒ５に少なくとも１個の一般式（２）で表される基を有するカプラーである。その中で、より好ましくは、一般式（２）におけるＡ１が−ＮＨ−で、ｐが０又は１で、Ｒ２５及びＲ２６がアルキル基で、Ｒ２７がハロゲン原子、アルキル基、又はアルコキシカルボニル基で表されるカプラーである。
【０１３９】
一般式（ＭＣ−Ｉ）で表されるカプラーにおいて最も好ましくは、Ｒ５がアシルアミノ基、又はアニリノ基で、Ｒ６はアリール基で、Ｘ１は水素原子、アルキルチオ基、アリールチオ基、ヘテロ環チオ基、窒素原子で結合している芳香族へテロ環基で、Ｒ５に少なくとも１個の一般式（２）で表される基を有し、一般式（２）におけるＡ１が−ＮＨ−で、ｐが１で、Ｒ２５及びＲ２６がアルキル基で、Ｒ２７が三級アルキル基で表されるカプラーである。
【０１４０】
一般式（ＭＣ−ＩＩ）で表されるカプラーにおいては、Ｒ７がアシルアミノ基、ウレイド基、アルコキシカルボニル、又はスルホンアミド基で、ｑが１又は２で表され、Ｒ７に少なくとも１個の一般式（１）で表される基を有しているカプラーが好ましい。
【０１４１】
一般式（ＭＣ−ＩＩ）で表されるカプラーにおいて更に好ましくは、Ｒ７がアシルアミノ基、ウレイド基、アルコキシカルボニル、又はスルホンアミド基で、ｑが１又は２で表され、Ｒ７に少なくとも１個の一般式（２）で表される基を有するカプラーである。その中で、より好ましくは一般式（２）のＡ１が−ＮＨ−で、ｐが０又は１で、Ｒ２５及びＲ２６がアルキル基で、Ｒ２７がハロゲン原子、アルキル基、又はアルコキシカルボニル基で表されるカプラーである。
【０１４２】
一般式（ＭＣ−ＩＩ）で表されるカプラーにおいて最も好ましくは、Ｒ７がアシルアミノ基、ウレイド基、アルコキシカルボニル、又はスルホンアミド基で、ｑが１で表され、Ｒ７に少なくとも１個の一般式（２）で表される基を有し、一般式（２）のＡ１が−ＮＨ−で、ｐが１で、Ｒ２５及びＲ２６はアルキル基で、Ｒ２７は三級アルキル基で表されるカプラーである。
【０１４３】
一般式（ＭＣ−ＩＩＩ）で表されるカプラーにおいては、Ｒ８がアルキル基、アリール基、アルコキシ基、アリールオキシ基、アルコキシカルボニル基、アシルアミノ基、アニリノ基、アルコキシカルボニルアミノ基、ウレイド基、スルホンアミド基、スルホニル基、又はシアノ基で、ＺａおよびＺｂは各々独立に−Ｎ＝又は−Ｃ（Ｒ９）＝で、Ｒ９は水素原子、アルキル基、アリール基、又はヘテロ環基で、Ｘ２は水素原子、ハロゲン原子、アリールオキシ基、アルキルチオ基、アリールチオ基、ヘテロ環チオ基、イミド基、又は窒素原子で結合している芳香族ヘテロ環基であり、Ｒ８、Ｒ９及び／又はＸ２のいずれかに少なくとも１個の一般式（１）で表される置換基を有するカプラーが好ましい。
【０１４４】
一般式（ＭＣ−ＩＩＩ）で表されるカプラーにおいて更に好ましくは、Ｒ８がアルキル基、アリール基、アルコキシ基、アリールオキシ基、アシルアミノ基、アニリノ基、アルコキシカルボニルアミノ基、ウレイド基、又はスルホンアミド基で、ＺａおよびＺｂは各々独立に−Ｎ＝又は−Ｃ（Ｒ９）＝で、Ｒ９は水素原子、アルキル基、アリール基、又はヘテロ環基で、Ｘ２は水素原子、ハロゲン原子、アリールオキシ基、アルキルチオ基、アリールチオ基、ヘテロ環チオ基、イミド基、又は窒素原子で結合している芳香族ヘテロ環基であり、Ｒ８、Ｒ９及び／又はＸ２のいずれかに少なくとも１個の一般式（２）で表される置換基を有するカプラーである。その中で、より好ましくは、一般式（２）におけるＡ１が−ＮＨ−で、ｐが０又は１で、Ｒ２５及びＲ２６がアルキル基で、Ｒ２７がハロゲン原子、アルキル基、アルコキシカルボニル基で表されるカプラーである。
【０１４５】
一般式（ＭＣ−ＩＩＩ）で表されるカプラーにおいて最も好ましくは、Ｒ８がアルキル基、アリール基、アルコキシ基、アリールオキシ基、アシルアミノ基、アニリノ基、アルコキシカルボニルアミノ基、ウレイド基、又はスルホンアミド基で、ＺａおよびＺｂは各々独立に−Ｎ＝又は−Ｃ（Ｒ９）＝で、Ｒ９は水素原子、アルキル基、アリール基、又はヘテロ環基で、Ｘ２は水素原子、ハロゲン原子、アリールオキシ基、アルキルチオ基、アリールチオ基、ヘテロ環チオ基、イミド基、又は窒素原子で結合している芳香族ヘテロ環基であり、Ｒ８及び／又はＲ９のいずれかに少なくとも１個の一般式（２）で表される置換基を有し、一般式（２）におけるＡ１が−ＮＨ−で、ｐが１で、Ｒ２５及びＲ２６がアルキル基で、Ｒ２７が三級アルキル基で表されるカプラーである。
【０１４６】
以下に、本発明のマゼンタ色素形成カプラーの具体例を示すが、本発明はこれらによって限定されるわけではない。
【０１４７】
【化２８】
2004101649.tif 000027
【０１４８】
【化２９】
2004101649.tif 000028
【０１４９】
【化３０】
2004101649.tif 000029
【０１５０】
【化３１】
2004101649.tif 000030
【０１５１】
【化３２】
2004101649.tif 000031
【０１５２】
【化３３】
2004101649.tif 000032
【０１５３】
【化３４】
2004101649.tif 000033
【０１５４】
【化３５】
2004101649.tif 000034
【０１５５】
次に、本発明のカプラーの合成法について説明する。
（例示カプラーＭ−２１の合成）
以下に示す反応スキームＡにしたがって合成した。
【０１５６】
【化３６】
2004101649.tif 000035
【０１５７】
中間体Ａの合成
４−ｔ−ブチルカテコール１．４２７Ｋｇ（８．５６モル）にジメチルアセトアミド４．３リットルを加えて窒素気流下において室温で攪拌した。この溶液に炭酸カリウム３．５６Ｋｇ（２５．８モル）を添加した。この懸濁液に１−ブロモテトラデカン５．０Ｋｇ（１８．０モル）を滴下した。滴下終了後、１００℃に加熱して１時間攪拌を行い、反応を完結させた。反応終了後、５０℃に冷却してから、ｎ−ヘキサン１４リットルを添加した。次いで、水１５リットルを添加してｎ−ヘキサン溶液を水洗した。このｎ−ヘキサン溶液を飽和食塩水で洗浄した後、無水硫酸ナトリウムで乾燥した。このｎ−ヘキサン溶液を減圧下で濃縮した。この残留物にエタノール１４リットルを添加して結晶を析出させ、濾過して乾燥させて、中間体Ａを３．３７３Ｋｇ（収率：７０％）得た。
【０１５８】
以下に、得られた中間体ＡのプロトンＮＭＲ（溶媒：重クロロホルム）のデータを記す。
１ＨＮＭＲ（ＣＤＣｌ３）
δ（ｐｐｍ）６．９３（ｓ，１Ｈ）、６．８６（ｄ，１Ｈ）、６．８０（ｄ，１Ｈ）、４．０２〜３．９０（ｍ，４Ｈ）、１．８０〜１．７０（ｂｒ，４Ｈ）、１．４０〜１．２０（ｍ，５７Ｈ）、０．８８（ｔ，６Ｈ）。
【０１５９】
中間体Ｂの合成
前記の方法で得た中間体Ａ　３．３Ｋｇ（５．９モル）にクロルベンゼン　９．９リットルを加えて、１０℃に冷却して攪拌した。この懸濁液にクロルスルホン酸　５２３ミリリットル（７．６７モル）を滴下した。滴下終了後、室温で１時間攪拌を行いスルホン化の反応を完結させた。この溶液を０℃に冷却してから、アセトニトリル６．６リットルとジメチルアセトアミド３．３リットルを内温２０℃以下で滴下した。滴下終了後、オキシ塩化リン１．１７７Ｋｇ（７．７６モル）を１０℃〜１５℃に保ちながら滴下した。滴下終了後、４５℃〜５０℃に加熱して１．５時間攪拌してクロル化の反応を完結させた。反応終了後、室温に冷却してからアセトニトリル２２リットルを添加した。次いで、氷冷水２２リットルを滴下して結晶を析出させた。この結晶を濾過して、アセトニトリル／水＝２／１の混合溶媒で洗浄して乾燥した。得られた結晶をアセトニトリル／酢酸エチル＝１／１の混合溶媒から再結晶して精製し、中間体Ｂを２．８Ｋｇ（収率：７２％）得た。
【０１６０】
以下に、得られた中間体ＢのプロトンＮＭＲ（溶媒：重クロロホルム）のデータを記す。
１ＨＮＭＲ（ＣＤＣｌ３）
δ（ｐｐｍ）７．４７（ｓ，１Ｈ）、７．２２（ｓ，１Ｈ）４．２２（ｔ，２Ｈ）、４．０３（ｔ，２Ｈ）、１．９０〜１．８０（ｍ，４Ｈ）、１．５５〜１．２０（ｍ，５３Ｈ）、０．８８（ｔ，６Ｈ）。
【０１６１】
例示カプラーＭ−２１の合成
中間体Ｃ（特開２００２−１９３９６８号に記載の方法に従って合成した。）９４９ｇ（３．１９モル）にアセトニトリル４．９リットルを加えて室温で攪拌した。この懸濁液に前記の方法で得た中間体Ｂ　２．１３Ｋｇ（３．２４モル）を添加した。次いで、ピリジン　２６９ｇ（３．４０モル）を添加した。この懸濁液に加熱攪拌還流を２時間行い、反応を完結させた。この反応液を４０℃に冷却してから５％希塩酸水５リットルを滴下して結晶を析出させた。この結晶を濾過して、水／アセトニトリル＝２／１の混合溶媒で洗浄した。この結晶を乾燥してから、酢酸エチル／アセトニトリル＝１／５の混合溶媒で再結晶して精製し、例示カプラーＭ−２１を２．４６６Ｋｇ（収率：８６％）得た。
【０１６２】
以下に、得られた例示カプラーＭ−２１のプロトンＮＭＲ（溶媒：重クロロホルム）のデータを記す。
１ＨＮＭＲ（ＣＤＣｌ３）
δ（ｐｐｍ）１３．６５（ｓ，１Ｈ）、７．５８（ｓ，１Ｈ）、７．５１（ｓ，２Ｈ）、７．２５（ｄ，１Ｈ）、７．１６（ｓ，１Ｈ）、７．１５〜７．１０（ｍ，３Ｈ）、７．０２（ｓ，１Ｈ）、６．３３（ｓ，１Ｈ）、４．１９（ｔ，２Ｈ）、３．９６（ｔ，２Ｈ）、２．９２（ｑ，１Ｈ）、１．９０〜１．７０（ｍ，４Ｈ）、１．６０〜１．１０（ｍ，５９Ｈ）、０．８７５（ｔ，６Ｈ）。
【０１６３】
本発明の実施態様について説明する。
本発明のハロゲン化銀カラー写真感光材料は、少なくとも１層のハロゲン化銀乳剤層中に、一般式（１）で表される置換基を分子内に少なくとも１個有するカプラーを少なくとも１種を含有することが好ましい。
【０１６４】
本発明のハロゲン化銀カラー写真感光材料中におけるカプラーの合計含有量は、好ましくは１ｍ２当たり０．０１〜１０ｇ、より好ましくは１ｍ２当たり０．１〜２ｇであり、同一感光性乳剤層中では、ハロゲン化銀１モル当たり１×１０−３モル〜１モルが適当であり、好ましくは３×１０−１モルである。
【０１６５】
本発明のハロゲン化銀カラー写真感光材料には目的に応じて種々の添加剤を用いることができる。
これらの添加剤は、より詳しくはリサーチディスクロジャー（ＲＤ）Ｉｔｅｍ１７６４３（１９７８年１２月）、同Ｉｔｅｍ１８７１６（１９７９年１１月）、及び同Ｉｔｅｍ３０８１１９（１９８９年１２月）に記載されており、その該当個所を以下にまとめて示した。
【０１６６】
添加剤種　　　　　ＲＤ１７６４３　　　　ＲＤ１８７１６　　　　ＲＤ３０８１１９
１．化学増感剤　　　　２３頁　　　　　　６４８頁右欄　　　　９９６頁
２．感度上昇剤　　　　　　　　　　　　　　　　　　　　同上
３．分光増感剤　　　　　　　　２３〜２４頁　　　　６４８頁右欄〜　　　９９６右〜９９８右
強色増感剤　　　　　　　　　　　　６４９頁右欄
４．増白剤　　　　　　２４頁　　　　　　　　　　　　　　　９９８右
５．カブリ防止剤　　　２４〜２５頁　　　　６４９頁右欄　　　　９９８右〜１０００右
及び安定剤
６．光吸収剤、　　　　２５〜２６頁　　　　６４９頁右欄〜　　　１００３左〜１００３右
フィルター染料、　　　　　　　　　６５０頁左欄
紫外線吸収剤
７．ステイン防止剤　　２５頁右欄　　　　６５０頁左〜右欄　　１００２右
８．色素画像安定剤　　２５頁　　　　　　　　　　　　　　　１００２右
９．硬膜剤　　　　　　２６頁　　　　　　６５１頁　　　　　　１００４右〜１００５左
１０．バインダー　　　２６頁　　　　　　同上　　　　　　　１００３右〜１００４右
１１．可塑剤、潤滑剤　２７頁　　　　　　６５０頁右欄　　　　１００６左〜１００６右
１２．塗布助剤、　　　２６〜２７頁　　　　同上　　　　　　　１００５左〜１００６左
表面活性剤
１３．スタチック　　　２７頁　　　　　　同上　　　　　　　１００６右〜１００７左
防止剤
１４．マット剤　　　　　　　　　　　　　　　　　　　１００８左〜１００９左
【０１６７】
本発明のハロゲン化銀カラー写真感光材料に使用することができる層配列等の技術、ハロゲン化銀乳剤、色素形成カプラー、ＤＩＲカプラー等の機能性カプラー、各種の添加剤等、及び現像処理については、欧州特許第０５６５０９６Ａ１号（１９９３年１０月１２日公開）及びこれに引用された特許に記載されている。以下に各項目とこれに対応する記載個所を列記する。
１．層構成：６１頁２３−３５行、６１頁４１行−６２頁１４行、
２．中間層：６１頁３６−４０行、
３．重層効果付与層：６２頁１５行−１８行、
４．ハロゲン化銀ハロゲン組成：６２頁２１−２５行、
５．ハロゲン化銀粒子晶癖：６２頁２６−３０、
６．ハロゲン化銀粒子サイズ：６２頁３１−３４行、
７．乳剤製造法：６２頁３５−４０行、
８．ハロゲン化銀粒子サイズ分布：６２頁４１−４２行、
９．平板粒子：６２頁４３−４６行、
１０．粒子の内部構造：６２頁４７−５３行、
１１．乳剤の潜像形成タイプ：６２頁５４−６３頁５行、
１２．乳剤の物理熟成・化学熟成：６３頁６−９行、
１３．乳剤の混合使用：６３頁１０−１３行、
１４．かぶらせ乳剤：６３頁１４−３１行、
１５．非感光性乳剤：６３頁３２−４３行、
１６．塗布銀量：６３頁４９−５０行、
１７．写真用添加剤：リサーチ・ディスクロージャー（ＲＤ）Ｉｔｅｍ１７６４３（１９７８年１２月）、同Ｉｔｅｍ１８７１６（１９７９年１１月）及び同Ｉｔｅｍ３０７１０５（１９８９年１１月）に記載されており、下記に各項目及びこれに関連する記載個所を示す。
【０１６８】
添加剤の種類　　　ＲＤ１７６４３　　　　ＲＤ１８７１６　　　　ＲＤ３０７１０５
（１）化学増感剤　　　　　２３頁　　　　　６４８頁右欄　　　　　８６６頁
（２）感度上昇剤　　　　　　　　　　　　６４８頁右欄
（３）分光増感剤　　　　　２３〜２４頁　　　６４８頁右欄〜　　　　８６６〜８６８頁
強色増感剤　　　　　　　　　　　　　６４９頁右欄
（４）増白剤　　　　　　　２４頁　　　　　６４７頁右欄　　　　　８６８頁
（５）カブリ防止剤、　　　２４〜２５頁　　　６４９頁右欄　　　　　８６８〜８７０頁
安定剤
（６）光吸収剤、　　　　　２５〜２６頁　　　６４９頁右欄〜　　　　８７３頁
フィルター染料、　　　　　　　　　　６５０頁
紫外線吸収剤
（７）ステイン防止剤　　　２５頁右欄　　　６５０頁左欄〜右欄　　８７２頁
（８）色素画像安定剤　　　２５頁　　　　　６５０頁左欄　　　　　８７２頁
（９）硬膜剤　　　　　　　２６頁　　　　　６５１頁左欄　　　　　８７４〜８７５頁
（１０）バインダー　　　　２６頁　　　　　６５１頁左欄　　　　　８７３〜８７４頁
（１１）可塑剤、潤滑剤　　２７頁　　　　　６５０頁右欄　　　　　８７６頁
（１２）塗布助剤、　　　　２６〜２７頁　　　６５０頁右欄　　　　　８７５〜８７６頁
表面活性剤
（１３）スタチック　　　　２７頁　　　　　６５０頁右欄　　　　　８７６〜８７７頁
防止剤
（１４）マット剤　　　　　　　　　　　　　　　　　　　　　　８７８〜８７９頁
１８．ホルムアルデヒドスカベンジャー：６４頁５４−５７行、
１９．メルカプト系カブリ防止剤：６５頁１−２行、
２０．カブラセ剤等放出剤：６５頁３−７行、
２１．色素：６５頁７−１０行、
２２．カラーカプラー全般：６５頁１１−１３行、
２３．イエロー、マゼンタ及びシアン色素形成カプラー：６５頁１４−２５行、
２４．ポリマーカプラー：６５頁２６−２８行、
２５．拡散性色素形成カプラー：６５頁２９−３１行、
２６．カラードカプラー：６５頁３２−３８行、
２７．機能性カプラー全般：６５頁３９−４４行、
２８．漂白促進剤放出カプラー：６５頁４５−４８行、
２９．現像促進剤放出カプラー：６５頁４９−５３行、
３０．その他のＤＩＲカプラー：６５頁５４−６６頁４行、
３１．カプラー分散方法：６６頁５−２８行、
３２．防腐剤・防黴剤：６６頁２９−３３行、
３３．感材の種類：６６頁３４−３６行、
３４．感光層膜厚と膨潤速度：６６頁４０−６７頁１行、
３５．バック層：６７頁３−８行、
３６．現像処理全般：６７頁９−１１行、
３７．現像液と現像薬：６７頁１２−３０行、
３８．現像液添加剤：６７頁３１−４４行、
３９．反転処理：７６頁４５−５６行、
４０．処理液開口率：６７頁５７−６８頁１２行、
４１．現像時間：６８頁１３−１５行、
４２．漂白定着、漂白、定着：６８頁１６−６９頁３１行、
４３．自動現像機：６９頁３２−４０行、
４４．水洗、リンス、安定化：６９頁４１−７０頁１８行、
４５．処理液補充、再使用：７０頁１９−２３行、
４６．現像薬内臓感材：７０頁２４−３３行、
４７．現像処理温度：７０頁３４−３８行、
４８．レンズ付きフィルムへの利用：７０頁３９−４１行
【０１６９】
【実施例】
以下に、本発明を実施例によって具体的に説明するが、本発明はこれらによって限定されるものではない。
【０１７０】
（実施例−１）
試料１０１の作成
トリアセチルセルロースフィルムの作製
トリアセチルセルロースを通常の溶液流延法により、ジクロロメタン／メタノール９２／８（質量比）にトリアセチルセルロースを溶解（質量で１３％）、可塑剤トリフェニルホスフェートとビフェニルジフェニルフォスフェートを質量比２：１で、合計がトリアセチルセルロースに対して１４％になるように添加したものをバンド法にて作製した。乾燥後の支持体の厚みは９７μｍであった。
【０１７１】
下塗り層の内容
上記トリアセチルセルロースの両面に対して以下の下塗りを施した。数字は下塗り液１．０リットルあたりに含まれる質量を表す。尚、下塗りを施す前にコロナ放電処理を施した。
ゼラチン　　　　　　　　　　　　　　１０．０ｇ
サリチル酸　　　　　　　　　　　　　　０．５ｇ
グリセリン　　　　　　　　　　　　　　４．０ｇ
アセトン　　　　　　　　　　　　　　　７００ｍｌ
メタノール　　　　　　　　　　　　　　２００ｍｌ
ジクロロメタン　　　　　　　　　　　　　８０ｍｌ
ホルムアルデヒド　　　　　　　　　　　０．１ｇ
水を加えて　　　　　　　　　　　　　　１．０リットル
【０１７２】
バック層の塗布
下塗りを施した支持体の片面に以下に示すバック層を塗布した。
第１層
バインダー：酸処理ゼラチン（等電点９．０）　　　　　　　１．００ｇ
ポリマーラテックス：Ｐ−２（平均粒子径０．１μｍ）　　　０．１３ｇ
ポリマーラテックス：Ｐ−３（平均粒子径０．２μｍ）　　　０．２３ｇ
紫外線吸収剤Ｕ−１　　　　　　　　　　　　　　　　　　　０．０３０ｇ
紫外線吸収剤Ｕ−３　　　　　　　　　　　　　　　　　　　０．０１０ｇ
紫外線吸収剤Ｕ−４　　　　　　　　　　　　　　　　　　　０．０２０ｇ
高沸点有機溶媒Ｏｉｌ−２　　　　　　　　　　　　　　　　０．０３０ｇ
界面活性剤Ｗ−１　　　　　　　　　　　　　　　　　　　　０．０１０ｇ
界面活性剤Ｗ−６　　　　　　　　　　　　　　　　　　　　３．０ｍｇ
【０１７３】
第２層
バインダー：酸処理ゼラチン（等電点９．０）　　　　　　　３．１０ｇ
ポリマーラテックス：Ｐ−３（平均粒子径０．２μｍ）　　　０．１１ｇ
紫外線吸収剤Ｕ−１　　　　　　　　　　　　　　　　　　　０．０３０ｇ
紫外線吸収剤Ｕ−３　　　　　　　　　　　　　　　　　　　０．０１０ｇ
紫外線吸収剤Ｕ−４　　　　　　　　　　　　　　　　　　　０．０２０ｇ
高沸点有機溶媒Ｏｉｌ−２　　　　　　　　　　　　　　　　０．０３０ｇ
界面活性剤Ｗ−１　　　　　　　　　　　　　　　　　　　　０．０１０ｇ
界面活性剤Ｗ−６　　　　　　　　　　　　　　　　　　　　３．０ｍｇ
染料Ｄ−２　　　　　　　　　　　　　　　　　　　　　　　０．１０ｇ
染料Ｄ−１０　　　　　　　　　　　　　　　　　　　　　　０．１２ｇ
硫酸カリウム　　　　　　　　　　　　　　　　　　　　　　０．２５ｇ
塩化カルシウム　　　　　　　　　　　　　　　　　　　　　０．５ｍｇ
水酸化ナトリウム　　　　　　　　　　　　　　　　　　　　０．０３ｇ
【０１７４】
第３層
バインダー：酸処理ゼラチン（等電点９．０）　　　　　　　３．３０ｇ
界面活性剤Ｗ−１　　　　　　　　　　　　　　　　　　　　０．０２０ｇ
硫酸カリウム　　　　　　　　　　　　　　　　　　　　　　０．３０ｇ
水酸化ナトリウム　　　　　　　　　　　　　　　　　　　　０．０３０ｇ
【０１７５】
2004101649.tif 000036
【０１７６】
感光性乳剤層の塗布
バック層を施した側と反対側に、以下に示す感光性乳剤層を塗布し、試料１０１とした。
数字はｍ２あたりの添加量を表す。尚、添加した化合物の効果は記載した用途には限らない。
【０１７７】
第１層：ハレーション防止層
黒色コロイド銀　　　　　　　　　　０．２５ｇ
ゼラチン　　　　　　　　　　　　　２．４０ｇ
紫外線吸収剤Ｕ−１　　　　　　　　０．１５ｇ
紫外線吸収剤Ｕ−３　　　　　　　　０．１５ｇ
紫外線吸収剤Ｕ−４　　　　　　　　０．１０ｇ
紫外線吸収剤Ｕ−５　　　　　　　　０．１０ｇ
高沸点有機溶媒Ｏｉｌ−１　　　　　０．１０ｇ
高沸点有機溶媒Ｏｉｌ−２　　　　　０．１０ｇ
高沸点有機溶媒Ｏｉｌ−５　　　　　０．０１ｇ
染料Ｄ−４　　　　　　　　　　　　１．０ｍｇ
染料Ｄ−８　　　　　　　　　　　　２．５ｍｇ
染料Ｅ−１の微結晶固体分散物　　　０．０５ｇ
【０１７８】
第２層：中間層
ゼラチン　　　　　　　　　　　　　０．５０ｇ
化合物Ｃｐｄ−Ａ　　　　　　　　　０．２ｍｇ
化合物Ｃｐｄ−Ｋ　　　　　　　　　３．０ｍｇ
化合物Ｃｐｄ−Ｍ　　　　　　　　　０．０３ｍｇ
紫外線吸収剤Ｕ−６　　　　　　　　６．０ｍｇ
高沸点有機溶媒Ｏｉｌ−３　　　　　　０．０１０ｇ
高沸点有機溶媒Ｏｉｌ−４　　　　　　０．０１０ｇ
高沸点有機溶媒Ｏｉｌ−７　　　　　　２．０ｍｇ
染料Ｄ−７　　　　　　　　　　　　　４．０ｍｇ
【０１７９】
第３層：中間層
黄色コロイド銀　　　　　　　　　　　０．０２ｇ
予め表面及び内部が被らされた沃臭化銀乳剤
（立方体、平均沃化銀含有率１モル％、球相当
平均粒径０．０６μｍ）　銀量　　０．０１ｇ
ゼラチン　　　　　　　　　　　　　　０．６０ｇ
化合物Ｃｐｄ−Ｄ　　　　　　　　　　０．０２０ｇ
高沸点有機溶媒Ｏｉｌ−３　　　　　　０．０１ｇ
【０１８０】
第４層：低感度赤感光性乳剤層
乳剤Ａ　　　　　　　　　　　　銀量　　０．１０ｇ
乳剤Ｂ　　　　　　　　　　　　銀量　　０．１５ｇ
乳剤Ｃ　　　　　　　　　　　　銀量　　０．１５ｇ
ゼラチン　　　　　　　　　　　　　　　０．８０ｇ
カプラーＣｐ−１　　　　　　　　　　　０．１５ｇ
カプラーＣｐ−２　　　　　　　　　　　７．０ｍｇ
カプラーＣｐ−６　　　　　　　　　　　３．０ｍｇ
カプラーＣｐ−７　　　　　　　　　　　２．０ｍｇ
紫外線吸収剤Ｕ−３　　　　　　　　　　０．０１０ｇ
化合物Ｃｐｄ−Ｉ　　　　　　　　　　　０．０２０ｇ
化合物Ｃｐｄ−Ｄ　　　　　　　　　　　３．０ｍｇ
化合物Ｃｐｄ−Ｊ　　　　　　　　　　　２．０ｍｇ
高沸点有機溶媒Ｏｉｌ−１０　　　　　　０．３０ｇ
添加物Ｐ−１　　　　　　　　　　　　　５．０ｍｇ
【０１８１】
第５層：中感度赤感光性乳剤層
乳剤Ｃ　　　　　　　　　　　　銀量　　０．１５ｇ
乳剤Ｄ　　　　　　　　　　　　銀量　　０．１５ｇ
ゼラチン　　　　　　　　　　　　　　　０．７０ｇ
カプラーＣｐ−１　　　　　　　　　　　０．１５ｇ
カプラーＣｐ−２　　　　　　　　　　　７．０ｍｇ
カプラーＣｐ−６　　　　　　　　　　　３．０ｍｇ
紫外線吸収剤Ｕ−３　　　　　　　　　　０．０１０ｇ
高沸点有機溶媒Ｏｉｌ−１０　　　　　　０．０３０ｇ
添加物Ｐ−１　　　　　　　　　　　　　７．０ｍｇ
【０１８２】
第６層：高感度赤感光性乳剤層
乳剤Ｅ　　　　　　　　　　　　銀量　　０．１５ｇ
乳剤Ｆ　　　　　　　　　　　　銀量　　０．２０ｇ
ゼラチン　　　　　　　　　　　　　　　１．５ｇ
カプラーＣｐ−１　　　　　　　　　　　０．６０ｇ
カプラーＣｐ−２　　　　　　　　　　　０．０１５ｇ
カプラーＣｐ−３　　　　　　　　　　　０．０３０ｇ
カプラーＣｐ−６　　　　　　　　　　　５．０ｍｇ
紫外線吸収剤Ｕ−１　　　　　　　　　　０．０１０ｇ
紫外線吸収剤Ｕ−２　　　　　　　　　　０．０１０ｇ
高沸点有機溶媒Ｏｉｌ−６　　　　　　　０．０３０ｇ
高沸点有機溶媒Ｏｉｌ−８　　　　　　　０．０２０ｇ
高沸点有機溶媒Ｏｉｌ−１０　　　　　　０．０５０ｇ
化合物Ｃｐｄ−Ｄ　　　　　　　　　　　５．０ｍｇ
化合物Ｃｐｄ−Ｋ　　　　　　　　　　　１．０ｍｇ
化合物Ｃｐｄ−Ｆ　　　　　　　　　　　０．０２０ｇ
添加物Ｐ−１　　　　　　　　　　　　　０．０１０ｇ
添加物Ｐ−４　　　　　　　　　　　　　０．０３０ｇ
【０１８３】
第７層：中間層
ゼラチン　　　　　　　　　　　　　　　０．７０ｇ
添加物Ｐ−２　　　　　　　　　　　　　０．１０ｇ
染料Ｄ−５　　　　　　　　　　　　　　０．０２０ｇ
染料Ｄ−９　　　　　　　　　　　　　　６．０ｍｇ
化合物Ｃｐｄ−Ｉ　　　　　　　　　　　０．０１０ｇ
化合物Ｃｐｄ−Ｍ　　　　　　　　　　　０．０４０ｇ
化合物Ｃｐｄ−Ｏ　　　　　　　　　　　３．０ｍｇ
化合物Ｃｐｄ−Ｐ　　　　　　　　　　　５．０ｍｇ
化合物Ｃｐｄ−Ｓ　　　　　　　　　　　０．０５ｇ
高沸点有機溶媒Ｏｉｌ−６　　　　　　　０．０５０ｇ
【０１８４】
第８層：中間層
黄色コロイド銀　　　　　　　　　　　　銀量　　０．０２０ｇ
ゼラチン　　　　　　　　　　　　　　　１．００ｇ
添加物Ｐ−２　　　　　　　　　　　　　０．０５ｇ
紫外線吸収剤Ｕ−１　　　　　　　　　　０．０１０ｇ
紫外線吸収剤Ｕ−３　　　　　　　　　　０．０１０ｇ
化合物Ｃｐｄ−Ａ　　　　　　　　　　　０．０５０ｇ
化合物Ｃｐｄ−Ｄ　　　　　　　　　　　０．０３０ｇ
化合物Ｃｐｄ−Ｍ　　　　　　　　　　　０．０５０ｇ
化合物Ｃｐｄ−Ｓ　　　　　　　　　　　０．０５０ｇ
高沸点有機溶媒Ｏｉｌ−３　　　　　　　０．０１０ｇ
高沸点有機溶媒Ｏｉｌ−６　　　　　　　０．０５０ｇ
【０１８５】
第９層：低感度緑感光性乳剤層
乳剤Ｇ　　　　　　　　　　　　銀量　　０．２５ｇ
乳剤Ｈ　　　　　　　　　　　　銀量　　０．３０ｇ
乳剤Ｉ　　　　　　　　　　　　銀量　　０．２５ｇ
ゼラチン　　　　　　　　　　　　　　　１．３０ｇ
カプラーＣｐ−８　　　　　　　　　　　０．１３ｇ
カプラーＣｐ−９　　　　　　　　　　　０．０３ｇ
化合物Ｃｐｄ−Ａ　　　　　　　　　　　５．０ｍｇ
化合物Ｃｐｄ−Ｂ　　　　　　　　　　　０．０３０ｇ
化合物Ｃｐｄ−Ｄ　　　　　　　　　　　５．０ｍｇ
化合物Ｃｐｄ−Ｅ　　　　　　　　　　　０．０１０ｇ
化合物Ｃｐｄ−Ｆ　　　　　　　　　　　０．０４０ｇ
化合物Ｃｐｄ−Ｇ　　　　　　　　　　　２．５ｍｇ
化合物Ｃｐｄ−Ｋ　　　　　　　　　　　２．０ｍｇ
化合物Ｃｐｄ−Ｒ　　　　　　　　　　　０．０２ｇ
紫外線吸収剤Ｕ−６　　　　　　　　　　５．０ｍｇ
高沸点有機溶媒Ｏｉｌ−２　　　　　　　０．０４ｇ
添加剤Ｐ−１　　　　　　　　　　　　　５．０ｍｇ
【０１８６】
第１０層：中感度緑感光性乳剤層
乳剤Ｉ　　　　　　　　　　　　銀量　　０．３０ｇ
乳剤Ｊ　　　　　　　　　　　　銀量　　０．３０ｇ
内部を被らせた臭化銀乳剤（立方体、
球相当平均粒径０．１１μｍ）銀量　　３．０ｍｇ
ゼラチン　　　　　　　　　　　　　　　０．７０ｇ
カプラーＣｐ−８　　　　　　　　　　　０．２０ｇ
カプラーＣｐ−９　　　　　　　　　　　０．０４ｇ
化合物Ｃｐｄ−Ａ　　　　　　　　　　　５．０ｍｇ
化合物Ｃｐｄ−Ｂ　　　　　　　　　　　０．０３０ｇ
化合物Ｃｐｄ−Ｆ　　　　　　　　　　　０．０１０ｇ
化合物Ｃｐｄ−Ｇ　　　　　　　　　　　２．０ｍｇ
化合物Ｃｐｄ−Ｒ　　　　　　　　　　　０．０４ｇ
高沸点有機溶媒Ｏｉｌ−２　　　　　　　０．０４ｇ
高沸点有機溶媒Ｏｉｌ−６　　　　　　　０．０２０ｇ
【０１８７】
第１１層：高感度緑感光性乳剤層
乳剤Ｋ　　　　　　　　　　　　銀量　　０．４０ｇ
ゼラチン　　　　　　　　　　　　　　　０．８０ｇ
カプラーＣｐ−８　　　　　　　　　　　０．６５ｇ
カプラーＣｐ−９　　　　　　　　　　　０．１２ｇ
化合物Ｃｐｄ−Ａ　　　　　　　　　　　５．０ｍｇ
化合物Ｃｐｄ−Ｂ　　　　　　　　　　　０．０３０ｇ
化合物Ｃｐｄ−Ｆ　　　　　　　　　　　０．０１０ｇ
化合物Ｃｐｄ−Ｒ　　　　　　　　　　　０．０６５ｇ
高沸点有機溶媒Ｏｉｌ−２　　　　　　　０．１５ｇ
高沸点有機溶媒Ｏｉｌ−６　　　　　　　０．０５０ｇ
【０１８８】
第１２層：イエローフィルター層
黄色コロイド銀　　　　　　　　　　　　銀量　　０．０１０ｇ
ゼラチン　　　　　　　　　　　　　　　１．０ｇ
化合物Ｃｐｄ−Ｃ　　　　　　　　　　　０．０１０ｇ
化合物Ｃｐｄ−Ｍ　　　　　　　　　　　０．１０ｇ
化合物Ｃｐｄ−Ｓ　　　　　　　　　　　０．０５０ｇ
高沸点有機溶媒Ｏｉｌ−１　　　　　　　０．０２０ｇ
高沸点有機溶媒Ｏｉｌ−６　　　　　　　０．１０ｇ
染料Ｅ−２の微結晶固体分散物　　　　　０．２０ｇ
【０１８９】
第１３層：中間層
ゼラチン　　　　　　　　　　　　　　　０．４０ｇ
化合物Ｃｐｄ−Ｑ　　　　　　　　　　　０．２０ｇ
【０１９０】
第１４層：低感度青感光性乳剤層
乳剤Ｌ　　　　　　　　　　　　銀量　　０．１５ｇ
乳剤Ｍ　　　　　　　　　　　　銀量　　０．２０ｇ
乳剤Ｎ　　　　　　　　　　　　銀量　　０．１０ｇ
ゼラチン　　　　　　　　　　　　　　　０．８０ｇ
カプラーＣｐ−４　　　　　　　　　　　０．０２０ｇ
カプラーＣｐ−５　　　　　　　　　　　０．３０ｇ
カプラーＣｐ−６　　　　　　　　　　　５．０ｍｇ
化合物Ｃｐｄ−Ｂ　　　　　　　　　　　０．１０ｇ
化合物Ｃｐｄ−Ｉ　　　　　　　　　　　８．０ｍｇ
化合物Ｃｐｄ−Ｋ　　　　　　　　　　　１．０ｍｇ
化合物Ｃｐｄ−Ｍ　　　　　　　　　　　０．０１０ｇ
紫外線吸収剤Ｕ−６　　　　　　　　　　０．０１０ｇ
高沸点有機溶媒Ｏｉｌ−２　　　　　　　０．０１０ｇ
【０１９１】
第１５層：中感度青感光性乳剤層
乳剤Ｎ　　　　　　　　　　　　銀量　　０．２０ｇ
乳剤Ｏ　　　　　　　　　　　　銀量　　０．２０ｇ
内部を被らせた臭化銀乳剤（立方体、
球相当平均粒径０．１１μｍ）銀量　　３．０ｍｇ
ゼラチン　　　　　　　　　　　　　　　０．８０ｇ
カプラーＣｐ−４　　　　　　　　　　　０．０２０ｇ
カプラーＣｐ−５　　　　　　　　　　　０．２５ｇ
カプラーＣｐ−６　　　　　　　　　　　０．０１０ｇ
化合物Ｃｐｄ−Ｂ　　　　　　　　　　　０．１０ｇ
化合物Ｃｐｄ−Ｎ　　　　　　　　　　　２．０ｍｇ
高沸点有機溶媒Ｏｉｌ−２　　　　　　　０．０１０ｇ
【０１９２】
第１６層：高感度青感光性乳剤層
乳剤Ｐ　　　　　　　　　　　　銀量　　０．２０ｇ
乳剤Ｑ　　　　　　　　　　　　銀量　　０．２５ｇ
ゼラチン　　　　　　　　　　　　　　　２．００ｇ
カプラーＣｐ−３　　　　　　　　　　　５．０ｍｇ
カプラーＣｐ−４　　　　　　　　　　　０．１０ｇ
カプラーＣｐ−５　　　　　　　　　　　１．０ｇ
カプラーＣｐ−６　　　　　　　　　　　０．０２０ｇ
高沸点有機溶媒Ｏｉｌ−２　　　　　　　０．１０ｇ
高沸点有機溶媒Ｏｉｌ−３　　　　　　　０．０２０ｇ
紫外線吸収剤Ｕ−６　　　　　　　　　　０．１０ｇ
化合物Ｃｐｄ−Ｂ　　　　　　　　　　　０．２０ｇ
化合物Ｃｐｄ−Ｎ　　　　　　　　　　　５．０ｍｇ
【０１９３】
第１７層：第１保護層
ゼラチン　　　　　　　　　　　　　　　１．００ｇ
紫外線吸収剤Ｕ−１　　　　　　　　　　０．１５ｇ
紫外線吸収剤Ｕ−２　　　　　　　　　　０．０５０ｇ
紫外線吸収剤Ｕ−５　　　　　　　　　　０．２０ｇ
化合物Ｃｐｄ−Ｏ　　　　　　　　　　　５．０ｍｇ
化合物Ｃｐｄ−Ａ　　　　　　　　　　　０．０３０ｇ
化合物Ｃｐｄ−Ｈ　　　　　　　　　　　０．２０ｇ
染料Ｄ−１　　　　　　　　　　　　　　８．０ｍｇ
染料Ｄ−２　　　　　　　　　　　　　　０．０１０ｇ
染料Ｄ−３　　　　　　　　　　　　　　０．０１０ｇ
高沸点有機溶媒Ｏｉｌ−３　　　　　　　０．１０ｇ
【０１９４】
第１８層：第２保護層
コロイド銀　　　　　　　　　　銀量　　０．２．５ｍｇ
微粒子沃臭化銀乳剤（平均沃化銀含有率１モル％、
球相当平均粒径０．０６μｍ）銀量　　０．１０ｇ
ゼラチン　　　　　　　　　　　　　　　０．８０ｇ
紫外線吸収剤Ｕ−１　　　　　　　　　　０．０３０ｇ
紫外線吸収剤Ｕ−６　　　　　　　　　　０．０３０ｇ
高沸点有機溶媒Ｏｉｌ−３　　　　　　　０．０１０ｇ
【０１９５】
第１９層：第３保護層
ゼラチン　　　　　　　　　　　　　　　１．００ｇ
ポリメチルメタクリレート（平均粒子径１．５μｍ）０．１０ｇ
メチルメタクリレートとメタクリル酸の６：４の
共重合体（平均粒子径１．５μｍ）　０．１５ｇ
シリコーンオイルＳＯ−１　　　　　　　０．２０ｇ
界面活性剤Ｗ−１　　　　　　　　　　　０．０４０ｇ
界面活性剤Ｗ−２　　　　　　　　　　　８．０ｍｇ
界面活性剤Ｗ−３　　　　　　　　　　　３．０ｍｇ
界面活性剤Ｗ−７　　　　　　　　　　　０．０１５ｇ
【０１９６】
又、すべての乳剤層には上記の組成物の他に添加剤Ｆ−１〜Ｆ−９を添加した。更に、各層には上記組成物の他にゼラチン硬化剤Ｈ−１及び塗布用、乳化用の界面活性剤Ｗ−３、Ｗ−４、Ｗ−５、Ｗ−６を添加した。
更に、防腐剤、防黴剤としてフェノール、１，２−ベンズイソチアゾリン−３−オン、２−フェノキシエタノール、フェネチルアルコール、ｐ−安息香酸ブチルエステルを添加した。
【０１９７】
【表１】
2004101649.tif 000037
【０１９８】
【表２】
2004101649.tif 000038
【０１９９】
【表３】
2004101649.tif 000039
【０２００】
【表４】
2004101649.tif 000040
【０２０１】
【化３７】
2004101649.tif 000041
【０２０２】
【化３８】
2004101649.tif 000042
【０２０３】
【化３９】
2004101649.tif 000043
【０２０４】
【化４０】
2004101649.tif 000044
【０２０５】
【化４１】
2004101649.tif 000045
【０２０６】
【化４２】
2004101649.tif 000046
【０２０７】
【化４３】
2004101649.tif 000047
【０２０８】
【化４４】
2004101649.tif 000048
【０２０９】
【化４５】
2004101649.tif 000049
【０２１０】
【化４６】
2004101649.tif 000050
【０２１１】
【化４７】
2004101649.tif 000051
【０２１２】
【化４８】
2004101649.tif 000052
【０２１３】
【化４９】
2004101649.tif 000053
【０２１４】
【化５０】
2004101649.tif 000054
【０２１５】
有機固体分散染料の微結晶固体分散物の調製
（染料Ｅ−１の微結晶固体分散物の調製）
染料Ｅ−１のウエットケーキ（Ｅ−１の正味量として２７０ｇ含有）にＢＳＡＦ社製ＰｌｕｒｏｎｉｃＦ８８（エチレンオキシド−プロピレンオキシド　ブロック共重合体）１００ｇ及び水を加えて攪拌し、４０００ｇとした。次に、アイメックス（株）社製ウルトラビスコミル（ＵＶＭ−２）に平均粒子径０．５ｍｍのジルコニアビーズを１７００ｍｌに充填し、スラリーを通して周速度１０ｍ／秒、吐出量０．５リットル／分で２時間粉砕した。ビーズを濾過して除き、水を加えて染料濃度３％に希釈した後、安定化の為に９０℃で１０時間加熱した。得られた染料微粒子の平均粒子径は０．３０μｍであり、粒子径の分布の広さ（粒子径標準偏差×１００／平均粒子径）は２０％であった。
【０２１６】
（染料Ｅ−２の微結晶固体分散物の調製）
水を３０質量％含むＥ−２のウエットケーキ１４００ｇに水及びＷ−４を２７０ｇを加えて攪拌し、Ｅ−２濃度４０質量％のスラリーとした。次に粉砕機、アイメックス（株）社製ウルトラビスコミル（ＵＶＭ−２）に平均粒径０．５ｍｍのジルコニアビーズを１７００ｍｌ充填し、スラリーを通して周速度１０ｍ／秒、吐出量０．５リットル／分で８時間粉砕した。これをイオン交換水で、２０質量％に希釈し、Ｅ−２の微結晶固体分散物を得た。平均粒子径は０．１５μｍであった。
【０２１７】
試料１０２〜１１５の作成
前記の試料１０１におけるカプラーを表３に示す等モルのカプラーに変更した以外は同様にして試料１０２〜１１５を作成した。
【０２１８】
【表５】
2004101649.tif 000055
【０２１９】
【表６】
2004101649.tif 000056
【０２２０】
【化５１】
2004101649.tif 000057
【０２２１】
このようにして得られた試料１０１〜試料１１５に連続的に濃度が変化しているウエッジを介して色温度４８００度の白色光で露光し、後述の現像処理を施しイエロー画像、マゼンタ画像、及びシアン画像の感度を評価した。感度は発色濃度０．５を与える露光量の逆数から求めた感度を基に試料１０１の感度を１００とした時の相対値で示した。値が大きいほど高感度を示す。結果を表４に示した。
【０２２２】
（感材の保存性の評価）
又、試料１０１〜１１５を５℃で４８時間で保存した後に、上記と同様な露光、及び現像処理を施し、各色の最高発色濃度（Ｄｍａｘ）を測定した。
【０２２３】
５℃４８時間保存後の試料の最高発色濃度÷保存前の試料の最高発色濃度×１００＝（％）が１００〜９５％の試料は○を、同９５〜８０％の試料には△を、８５％未満の試料については×を表示した。結果を表４に示した。
【０２２４】
（増感色素の残色の評価）
前記の試料１０１〜試料１１５を、上記と同様な露光を行い、処理の第２水洗温度を３８℃で２５分間洗浄した。又、同様にして処理の第２水洗温度を１５℃で４分間洗浄した試料のＤｍｉｎ部をそれぞれ分光光度計で測定した。得られたデータの５２０ｎｍと５８０ｎｍの各濃度を求めた。その結果を表４に示した。値が小さいほど、増感色素が感材膜中から溶出し易く、残色に優れることを示している。
【０２２５】
【表７】
2004101649.tif 000058
【０２２６】
以下に、現像処理工程について記述する。
（処理工程）
処理工程　　　時間　　温度　　タンク容量　　　　補充量
第１現像　　　　６分　　３８℃　　３７リットル　２２００ｍＬ／ｍ２
第１水洗　　　２分　　３８℃　　１６リットル　　４０００ｍＬ／ｍ２
反転　　　　　２分　　３８℃　　１７リットル　　１１００ｍＬ／ｍ２
発色現像　　　６分　　３８℃　　３０リットル　　２２００ｍＬ／ｍ２
前漂白　　　　２分　　３８℃　　１９リットル　　１１００ｍＬ／ｍ２
漂白　　　　　６分　　３８℃　　３０リットル　　２２００ｍＬ／ｍ２
定着　　　　　４分　　３８℃　　２９リットル　　１１００ｍＬ／ｍ２
第２水洗　　　４分　　３８℃　　３５リットル　　４０００ｍＬ／ｍ２
【０２２７】
各処理液の組成は以下の通りであった。
2004101649.tif 000059
ｐＨは硫酸又は水酸化カリウムで調整した。
【０２２８】
2004101649.tif 000060
ｐＨは酢酸又は水酸化ナトリウムで調整した。
【０２２９】
2004101649.tif 000061
ｐＨは硫酸又は水酸化カリウムで調整した。
【０２３０】
2004101649.tif 000062
ｐＨは硝酸又は水酸化ナトリウムで調整した。
【０２３１】
（定着液）　　　　　　　　　　　　　（タンク液）　　　　（補充液）
チオ硫酸アンモニウム　　　　　　　　　　　　８０ｇ　　　　　８０ｇ
亜硫酸ナトリウム　　　　　　　　　　　　　５．０ｇ　　　　５．０ｇ
重亜硫酸ナトリウム　　　　　　　　　　　　５．０ｇ　　　　５．０ｇ
水を加えて　　　　　　　　　　　　　　　１０００ｍｌ　　１０００ｍｌ
ｐＨ　　　　　　　　　　　　　　　　　　６．６０　　　　６．６０
ｐＨは酢酸又はアンモニア水で調整した。
【０２３２】
（安定液）　　　　　　　　　　　　　（タンク液）　　　　（補充液）
２−ベンゾイソチアゾリン−３−オン　　　０．０２ｇ　　　０．０３ｇ
ポリオキシエチレン−ｐ−モノノニル
フェニルエーテル（平均重合度１０）　　　　０．３ｇ　　　　０．３ｇ
ポリマレイン酸（平均分子量２，０００）　　０．１ｇ　　　　０．１５ｇ
水を加えて　　　　　　　　　　　　　　１０００ｍｌ　　　１０００ｍｌ
ｐＨ　　　　　　　　　　　　　　　　　　７．０　　　　　　７．０
【０２３３】
尚、上記の現像処理工程では、各浴は連続的に液を循環させて攪拌し、更に、各タンクの下面には直径０．３ｍｍの小孔を１ｃｍ間隔であけた発泡管を配置し、連続的に窒素ガスを発泡させて攪拌した。
【０２３４】
表４の結果において、試料１０１に対して、シアン色素形成カプラーのみを本発明のカプラーに変更した試料１０２、マゼンタ色素形成カプラーのみを本発明のカプラーに変更した試料１０３、イエロー色素形成カプラーのみを本発明のカプラーに変更した試料１０４は、いずれも感度、保存性等を損なわずに、増感色素の残色に優れることが判る。更に、シアン色素形成カプラー、マゼンタ色素形成カプラー、及びイエロー色素形成カプラーを本発明のカプラーに置き換えた試料１０６〜１１０においては、更に増感色素の残色が改良されることが判る。
【０２３５】
試料１１１は第９層のマゼンタ色素形成カプラーを比較カプラーＡに変更した試料である。この試料１１１は発色性が低下しマゼンタ層の感度の低下が著しく、又、保存性においても発色性の低下が認められた。この試料１１１に対して、試料１１２、及び試料１１３は感度及び保存性の改良が達成されている。又、試料１１４は第９層のマゼンタ色素形成カプラーを比較カプラーＢに変更したカプラーであり、この試料１１４は保存性、及び増感色素の残色が悪い。この試料１１４に対して、試料１１５は感度、保存性、増感色素の残色の改良が達成されていることが判る。